(57)【要約】年々高倍速化が進むマルチパルス生成過程において、エッジのタイミング制御を行う半導体回路の動作が追いつかないという課題があった。  ライトストラテジ装置を、記録波形信号のエッジの生成に用いるためのタイミングエッジ情報を記憶するコントロールレジスタ（２２）と、前記記録波形信号のエッジを生成するためのクロックを生成するＰＬＬ（２３）と、前記記録波形信号に対応するタイミングエッジ情報を前記コントロールレジスタ（２２）から入力して所定遅延量を有するタイミングエッジ情報を並列に出力し、該並列に出力したタイミングエッジ情報を基にエッジの合成を行うタイミング制御回路（２４）とを備える構成とした。これにより、高速動作時においても、高精度にタイミングエッジを制御し、精度の高いマルチパルスを生成することができる。【特許請求の範囲】
【請求項１】
ディジタル信号列を記録媒体に記録するためのレーザのパワーを制御するレーザパワーコントロール装置と、記録パワーを分割し、正確なピット形成のためのマルチパルスを生成するライトストラテジ装置と、該ライトストラテジ装置からのマルチパルスに応じて、レーザを照射するレーザダイオードドライバとを有し、前記ディジタル信号列に対応したエッジ及び振幅を有する記録波形信号を生成する光ディスク装置において、
前記ライトストラテジ装置は、
前記記録波形信号のエッジの生成に用いるためのタイミングエッジ情報を記憶する記憶部と、
前記記録波形信号のエッジを生成するためのクロックを生成するクロック生成回路と、
前記記録波形信号に対応するタイミングエッジ情報を前記記憶部から入力し、該入力したタイミングエッジ情報を並列処理し、該並列処理したタイミングエッジ情報を基にエッジを生成し、該生成したエッジの合成を行うタイミング制御回路とを備えた、
ことを特徴とする光ディスク装置。
【請求項２】
請求項１に記載の光ディスク装置において、
前記タイミング制御回路は、
前記ディジタル信号列を入力し、該ディジタル信号列のスペース長及びマーク長をカウントするスペース・マーク長カウンタ装置と、
前記スペース・マーク長カウンタ装置でカウントされたカウント値に基づいて、前記記憶部から所要のタイミングエッジ情報を順次出力させるタイミングシーケンサー装置と、
前記記憶部から出力される前記タイミングエッジ情報を基にクロックの遅延量を制御し、所定の遅延量を有するタイミングエッジ情報を出力するタイマー装置と、
前記タイマー装置からのタイミングエッジ情報の出力を、並列に出力するよう制御する並列処理シーケンサーと、
前記並列処理シーケンサーの制御により、前記並列に出力されたタイミングエッジ情報を基に並列にエッジを生成し、該生成したエッジの合成を行う並列処理回路とを備えた、
ことを特徴とする光ディスク装置。
【請求項３】
請求項２に記載の光ディスク装置において、
前記記憶部は、前記タイミングエッジ情報を複数有する１つまたは複数のテーブルを有し、
前記タイミングエッジ情報は、前記スペース・マーク長カウンタ装置にてカウントされたカウント値に対応するアドレス情報を有しており、
前記各テーブルは、それぞれのテーブルに対応するテーブルアドレス情報を有している、
ことを特徴とする光ディスク装置。
【請求項４】
請求項３に記載の光ディスク装置において、
前記タイミングシーケンサー装置は、前記スペース・マーク長カウンタ装置から出力されるカウント値を基に、該カウント値に対応するタイミングエッジ情報が格納されているテーブルを参照し、前記タイミングエッジ情報を出力させるものである、
ことを特徴とする光ディスク装置。
【請求項５】
請求項２に記載の光ディスク装置において、
前記スペース・マーク長カウンタ装置は、カウント値が一定値を超えた場合、クリッピング処理を行い、予め設定された最大値を出力する、
ことを特徴とする光ディスク装置。
【請求項６】
請求項２に記載の光ディスク装置において、
前記記憶部に格納されるタイミングエッジ情報は、少なくとも、複数の固定電流値を含んでおり、
前記並列処理回路で合成される記録波形は、前記記憶部に格納された複数の固定電流値から前記マーク長、及び該マーク長の区間におけるスペース長に応じて電流値が選択された記録波形である、
ことを特徴とする光ディスク装置。
【請求項７】
請求項２に記載の光ディスク装置において、
前記並列処理回路にて合成される記録波形は、前記マーク長とマーク長との間に一定の電流値を前記レーザダイオードドライバへ出力する期間を有する、
ことを特徴とする光ディスク装置。
【請求項８】
請求項２に記載の光ディスク装置において、
前記タイマー装置に入力されるタイミングエッジ情報は、少なくとも遅延量及び電流量を含むものである、
ことを特徴とする光ディスク装置。
【請求項９】
請求項８に記載の光ディスク装置において、
前記タイマー装置は、
前記並列処理シーケンサーの選択制御により、所定の遅延量値を有するタイミングエッジ情報の出力を並列に出力する複数の第１のセレクタ装置と、
前記並列処理シーケンサーの選択制御により、所定の電流値を有するタイミングエッジ情報の出力を並列に出力する複数の第２のセレクタ装置とを備え、
前記並列処理回路は、
前記複数の第１のセレクタ装置からそれぞれ出力されるタイミングエッジ情報をデータセット信号およびリセット信号として入力するＲＳラッチ回路と、
前記複数の第２のセレクタ装置からそれぞれ出力されるタイミングエッジ情報を入力し、前記データセット信号、前記リセット信号、及び前記ＲＳラッチ回路からの出力に基づいて、所定の電流値を有する合成エッジを出力する電流値出力制御回路とを備え、
前記データセット信号、及びリセット信号は前記並列処理シーケンサーにも入力され、
前記並列処理シーケンサーは、前記データセット信号、及びリセット信号の入力に応じて前記タイミングエッジ情報を並列に出力するよう制御する、
ことを特徴とする光ディスク装置。
【請求項１０】
請求項２または９に記載の光ディスク装置において、
前記タイマー装置は、１つのタイマーで構成されたものである、
ことを特徴とする光ディスク装置。
【請求項１１】
請求項２または９に記載の光ディスク装置において、
前記タイマー装置は、複数のタイマーで構成されたものである、
ことを特徴とする光ディスク装置。
【請求項１２】
請求項２または９に記載の光ディスク装置において、
前記並列処理シーケンサーは、前記タイマー装置から順次出力されたタイミングエッジ情報を、その奇数、偶数出力を各出力順に並列に出力するよう制御するものである、
ことを特徴とする光ディスク装置。
【請求項１３】
請求項２に記載の光ディスク装置において、
前記並列処理シーケンサーは、前記スペース・マーク長カウンタ装置に接続され、一定値のオフセットを元にカウンタ動作を行い、シーケンサー制御を行う、
ことを特徴とする光ディスク装置。
【請求項１４】
請求項１または２に記載の光ディスク装置において、
前記記憶部はレジスタで構成されたものである、
ことを特徴とする光ディスク装置。
【請求項１５】
請求項１または２に記載の光ディスク装置において、
前記記憶部は、複数の仕様の記録媒体の各々対応するテーブルに記憶するテーブル群を有する、
ことを特徴とする光ディスク装置。
【請求項１６】
請求項１または２に記載の光ディスク装置において、
前記記憶部へ書き込みされるデータは、外部制御装置から入力されたものであり、
前記記憶部は、前記書き込まれたデータから、各々のテーブル群を随時構成する、
ことを特徴とする光ディスク装置。
【請求項１７】
請求項１または２に記載の光ディスク装置において、
前記クロック生成回路は、ＰＬＬ装置で構成したものである、
ことを特徴とする光ディスク装置。
【請求項１８】
請求項１または２に記載の光ディスク装置において、
記録媒体の温度を検知し、該検知した温度に応じて前記レーザダイオードドライバの光出力値の調整を行う温度検知機能を備えた、
ことを特徴とする光ディスク装置。
【請求項１９】
請求項１または２に記載の光ディスク装置において、
少なくとも２つの半導体デバイス間で信号伝送を行う際、無線を用いて信号伝送する、
ことを特徴とする光ディスク装置。
【請求項２０】
請求項１または２に記載の光ディスク装置において、
前記レーザパワーコントロール装置、前記ライトストラテジ装置、及び前記レーザダイオードドライバを同一パッケージ上に搭載した、
ことを特徴とする光ディスク装置。
【請求項２１】
請求項１または２に記載の光ディスク装置において、
前記レーザパワーコントロール装置、前記ライトストラテジ装置、及び前記レーザダイオードドライバを同一基板上に搭載した、
ことを特徴とする光ディスク装置。
【請求項２２】
請求項１または２に記載の光ディスク装置において、
前記レーザパワーコントロール装置、前記ライトストラテジ装置、及び前記レーザダイオードドライバを立体的に上下に搭載した、
ことを特徴とする光ディスク装置。
【発明の詳細な説明】
【技術分野】
【０００１】  本発明は、光ディスク装置に関するものであり、特に、光ディスク記録媒体へディジタル情報を高精度に書き込みする光ディスク装置に関するものである。
【背景技術】
【０００２】  近年、磁気記録装置、光ディスク記憶装置、半導体メモリ記憶装置など、ディジタル情報を記録する記憶装置が広く活用され、記録密度が年々高密度化するとともに高倍速化してきている。光ディスク記録媒体へ書き込みする場合、基本的な原理はディジタル情報に対応して、情報の“１”の場合レーザを照射、“０”情報の場合レーザを照射しないというＯＮ、ＯＦＦ制御する方法である。しかしながら単純にレーザ照射を“０”、“１”に対応させてＯＮ、ＯＦＦを行うだけでは高密度記録が困難で良好なピットを形成できないという問題がある。そこでライトストラテジ（Ｗｒｉｔｅ  Ｓｔｒａｔｅｇｙ）と呼ばれる記録パワーを分割しマルチパルスを生成し制御する技術が必須となってきている（例えば特許文献１〜３）。ライトストラテジは光ディスクにおけるピットを正確に記録するための記録補償技術のことを指す。この記録補償が無いとピットが涙目状になってしまい良好なピット形成ができなくなり、データの読み取り誤りを引き起こす原因となる。よって光ディスクへ書き込みをする際には必須な技術である。【０００３】  図１１は従来方式によるタイミングエッジ情報を示すタイミングチャート図である。【０００４】  そして、マルチパルスを生成する従来の技術として、それぞれタイミングエッジ情報を出力する複数のタイマーを備え、シーケンサーを用いて各タイマーを動作させ、複数のタイミングエッジを生成し、該タイミングエッジを合成することによりマルチパルスを生成する例について説明する。【０００５】  各タイマーにおけるタイミングエッジの遅延量、及びレーザダイオードドライバを駆動するパワー量である電流値は、入力されたディジタル信号列（ＮＲＺＩデータ）のスペース長とマーク長とをカウントするスペース・マーク長カウンタ装置によってカウントされたカウント値を元に決定される。これにより、各タイマーにおいてクロックに同期したタイミングエッジ情報はそれぞれ所定量遅延される。そして、各タイマーを動作させる順番を決めるシーケンサーによって、各タイマーのタイミングエッジ情報の出力が制御され、各タイマーからの情報に基づいてタイミングエッジを生成し、それらのエッジを合成することによりマルチパルスが生成される。例えば、図に示すように、マークの最初の立ちあがりエッジのタイミング情報を示すＴＳＦＰ（Ｔｉｍｉｎｇ  ｆｏｒ  Ｓｔａｒｔ  ｏｆ  Ｆｉｒｓｔ  Ｐｕｌｓｅ）が、シーケンサーの制御によってＴｉｍｅｒ１から出力され、次にシーケンサーの制御によって、マークの最初の立ち下がりエッジのタイミング情報を示すＴＥＦＰ（Ｔｉｍｉｎｇ  ｆｏｒ  Ｅｎｄ  ｏｆ  Ｆｉｒｓｔ  Ｐｕｌｓｅ）がＴｉｍｅｒ２から出力され、これらのパルスが合成される。以下、各タイマーは、シーケンサーの出力に応じて、マークの最後のエッジの立ち下がりを示すＴＥＬＰ（Ｔｉｍｉｎｇ  ｆｏｒ  Ｅｎｄ  ｏｆ  Ｌａｓｔ  Ｐｕｌｓｅ）まで出力され、これらのタイミングエッジ情報は合成され、所定の電流値を有するエッジが生成される。
【特許文献１】特開平１１−２８３２４９号公報
【特許文献２】特開２００３−１８７４４２号公報
【特許文献３】特開平２−９４１１３号公報
【発明の開示】
【発明が解決しようとする課題】
【０００６】  しかしながら、対応するメディア、倍速によって記録信号波形の形状が変化するが、倍速が高速になればなるほど記録信号波形である、マルチパルス波形生成が困難となり様々な問題が発生する。例えば高密度マーク形成のための波形制御が複雑化し、切り替えるレーザのレベル数の増加やパルス分割の細分化が進み、高速で多数のレベルを切り替える必要性があるなどがあげられる。図１１において、各タイマーがシーケンサーによって選択された後、タイマー制御されたエッジ情報を見ると、１つのクロック区間に２つのエッジが生成される期間１１０がある。例えば５００ＭＨｚ（２ｎｓ）のような高速動作時であった場合、半分のクロック区間つまり１ｎｓでエッジを２回生成しなければいけなくなり、この場合、半導体回路の動作が追いつかないという問題があった。【０００７】  本発明は、以上のような問題を解決するために為されたものであり、高速動作時においても、高精度にタイミングエッジを制御し、精度の高いマルチパルスを生成できる光ディスク装置を提供することを目的とする。
【課題を解決するための手段】
【０００８】  前記課題を解決するために本発明の請求項１に係る光ディスク装置は、ディジタル信号列を記録媒体に記録するためのレーザのパワーを制御するレーザパワーコントロール装置と、記録パワーを分割し、正確なピット形成のためのマルチパルスを生成するライトストラテジ装置と、該ライトストラテジ装置からのマルチパルスに応じて、レーザを照射するレーザダイオードドライバとを有し、前記ディジタル信号列に対応したエッジ及び振幅を有する記録波形信号を生成する光ディスク装置において、前記ライトストラテジ装置は、前記記録波形信号のエッジの生成に用いるためのタイミングエッジ情報を記憶する記憶部と、前記記録波形信号のエッジを生成するためのクロックを生成するクロック生成回路と、前記記録波形信号に対応するタイミングエッジ情報を前記記憶部から入力し、該入力したタイミングエッジ情報を並列処理し、該並列処理したタイミングエッジ情報を基にエッジを生成し、該生成したエッジの合成を行うタイミング制御回路とを備えたものである。【０００９】  また、本発明の請求項２に係る光ディスク装置は、請求項１に記載の光ディスク装置において、前記タイミング制御回路は、前記ディジタル信号列を入力し、該ディジタル信号列のスペース長及びマーク長をカウントするスペース・マーク長カウンタ装置と、前記スペース・マーク長カウンタ装置でカウントされたカウント値に基づいて、前記記憶部から所要のタイミングエッジ情報を順次出力させるタイミングシーケンサー装置と、前記記憶部から出力される前記タイミングエッジ情報を基にクロックの遅延量を制御し、所定の遅延量を有するタイミングエッジ情報を出力するタイマー装置と、前記タイマー装置からのタイミングエッジ情報の出力を、並列に出力するよう制御する並列処理シーケンサーと、前記並列処理シーケンサーの制御により、前記並列に出力されたタイミングエッジ情報を基に並列にエッジを生成し、該生成したエッジの合成を行う並列処理回路とを備えたものである。【００１０】  また、本発明の請求項３に係る光ディスク装置は、請求項２に記載の光ディスク装置において、前記記憶部は、前記タイミングエッジ情報を複数有する１つまたは複数のテーブルを有し、前記タイミングエッジ情報は、前記スペース・マーク長カウンタ装置にてカウントされたカウント値に対応するアドレス情報を有しており、前記各テーブルは、それぞれのテーブルに対応するテーブルアドレス情報を有しているものである。【００１１】  また、本発明の請求項４に係る光ディスク装置は、請求項３に記載の光ディスク装置において、前記タイミングシーケンサー装置は、前記スペース・マーク長カウンタ装置から出力されるカウント値を基に、該カウント値に対応するタイミングエッジ情報が格納されているテーブルを参照し、前記タイミングエッジ情報を出力させるものである。【００１２】  また、本発明の請求項５に係る光ディスク装置は、請求項２に記載の光ディスク装置において、前記スペース・マーク長カウンタ装置は、カウント値が一定値を超えた場合、クリッピング処理を行い、予め設定された最大値を出力するものである。【００１３】  また、本発明の請求項６に係る光ディスク装置は、請求項２に記載の光ディスク装置において、前記記憶部に格納されるタイミングエッジ情報は、少なくとも、複数の固定電流値を含んでおり、前記並列処理回路で合成される記録波形は、前記記憶部に格納された複数の固定電流値から前記マーク長、及び該マーク長の区間におけるスペース長に応じて電流値が選択された記録波形であるものである。【００１４】  また、本発明の請求項７に係る光ディスク装置は、請求項２に記載の光ディスク装置において、前記並列処理回路にて合成される記録波形は、前記マーク長とマーク長との間に一定の電流値を前記レーザダイオードドライバへ出力する期間を有するものである。【００１５】  また、本発明の請求項８に係る光ディスク装置は、請求項２に記載の光ディスク装置において、前記タイマー装置に入力されるタイミングエッジ情報は、少なくとも遅延量及び電流量を含むものとしたものである。【００１６】  また、本発明の請求項９に係る光ディスク装置は、請求項８に記載の光ディスク装置において、前記タイマー装置は、前記並列処理シーケンサーの選択制御により、所定の遅延量値を有するタイミングエッジ情報の出力を並列に出力する複数の第１のセレクタ装置と、前記並列処理シーケンサーの選択制御により、所定の電流値を有するタイミングエッジ情報の出力を並列に出力する複数の第２のセレクタ装置とを備え、前記並列処理回路は、前記複数の第１のセレクタ装置からそれぞれ出力されるタイミングエッジ情報をデータセット信号およびリセット信号として入力するＲＳラッチ回路と、前記複数の第２のセレクタ装置からそれぞれ出力されるタイミングエッジ情報を入力し、前記データセット信号、前記リセット信号、及び前記ＲＳラッチ回路からの出力に基づいて、所定の電流値を有する合成エッジを出力する電流値出力制御回路とを備え、前記データセット信号、及びリセット信号は前記並列処理シーケンサーにも入力され、前記並列処理シーケンサーは、前記データセット信号、及びリセット信号の入力に応じて前記タイミングエッジ情報を並列に出力するよう制御するものである。【００１７】  また、本発明の請求項１０に係る光ディスク装置は、請求項２または９に記載の光ディスク装置において、前記タイマー装置は、１つのタイマーで構成されたものとしたものである。【００１８】  また、本発明の請求項１１に係る光ディスク装置は、請求項２または９に記載の光ディスク装置において、前記タイマー装置は、複数のタイマーで構成されたものとしたものである。【００１９】  また、本発明の請求項１２に係る光ディスク装置は、請求項２に記載の光ディスク装置において、前記並列処理シーケンサーは、前記タイマー装置から順次出力されるタイミングエッジ情報の出力を、その奇数、偶数出力を各出力順に並列に出力するよう制御するものとしたものである。【００２０】  また、本発明の請求項１３に係る光ディスク装置は、請求項２に記載の光ディスク装置において、前記並列処理シーケンサーは、クロック同期でカウントされるカウンタを有し、該カウンタの所定のカウント値に応じて前記タイマー装置から前記タイミングエッジ情報を出力させるものであり、前記タイミングエッジ情報は、前記タイマー装置により一定値の遅���量だけオフセットされるものである。【００２１】  また、本発明の請求項１４に係る光ディスク装置は、請求項１または２に記載の光ディスク装置において、前記記憶部はレジスタで構成されたものとしたものである。【００２２】  また、本発明の請求項１５に係る光ディスク装置は、請求項１または２に記載の光ディスク装置において、前記記憶部は、複数の仕様の記録媒体の各々対応するテーブルに記憶するテーブル群を有するものである。【００２３】  また、本発明の請求項１６に係る光ディスク装置は、請求項１または２に記載の光ディスク装置において、前記記憶部へ書き込みされるデータは、外部制御装置から入力されたものであり、前記記憶部は、前記書き込まれたデータに応じて、各々のテーブル群を随時構成するものである。【００２４】  また、本発明の請求項１７に係る光ディスク装置は、請求項１または２に記載の光ディスク装置において、前記クロック生成回路は、ＰＬＬ装置で構成したものとしたものである。【００２５】  また、本発明の請求項１８に係る光ディスク装置は、請求項１または２に記載の光ディスク装置において、記録媒体の温度を検知し、該検知した温度に応じて前記レーザダイオードドライバの光出力値の調整を行う温度検知機能を備えたものである。【００２６】  また、本発明の請求項１９に係る光ディスク装置は、請求項１または２に記載の光ディスク装置において、少なくとも２つの半導体デバイス間で信号伝送を行う際、無線を用いて信号伝送するものである。【００２７】  また、本発明の請求項２０に係る光ディスク装置は、請求項１または２に記載の光ディスク装置において、前記レーザパワーコントロール装置、前記ライトストラテジ装置、及び前記レーザダイオードドライバを同一パッケージ上に搭載したものである。【００２８】  また、本発明の請求項２１に係る光ディスク装置は、請求項１または２に記載の光ディスク装置において、前記レーザパワーコントロール装置、前記ライトストラテジ装置、及び前記レーザダイオードドライバを同一基板上に搭載したものである。【００２９】  また、本発明の請求項２２に係る光ディスク装置は、請求項１または２に記載の光ディスク装置において、前記レーザパワーコントロール装置、前記ライトストラテジ装置、及び前記レーザダイオードドライバを立体的に上下に搭載したものである。
【発明の効果】
【００３０】  本発明の請求項１に係る光ディスク装置によれば、ディジタル信号列を記録媒体に記録するためのレーザのパワーを制御するレーザパワーコントロール装置と、記録パワーを分割し、正確なピット形成のためのマルチパルスを生成するライトストラテジ装置と、該ライトストラテジ装置からのマルチパルスに応じて、レーザを照射するレーザダイオードドライバとを有し、前記ディジタル信号列に対応したエッジ及び振幅を有する記録波形信号を生成する光ディスク装置において、前記ライトストラテジ装置は、前記記録波形信号のエッジの生成に用いるためのタイミングエッジ情報を記憶する記憶部と、前記記録波形信号のエッジを生成するためのクロックを生成するクロック生成回路と、前記記録波形信号に対応するタイミングエッジ情報を前記記憶部から入力し、該入力したタイミングエッジ情報を並列処理し、該並列処理したタイミングエッジ情報を基にエッジを生成し、該生成したエッジの合成を行うタイミング制御回路とを備えたので、ディジタル情報を記録媒体等に記録する書き込みを行う際、高速動作時においても高精度にタイミングエッジを制御することができ、精度の高いマルチパルスを生成することができる効果がある。【００３１】  また、本発明の請求項２に係る光ディスク装置によれば、請求項１に記載の光ディスク装置において、前記タイミング制御回路は、前記ディジタル信号列を入力し、該ディジタル信号列のスペース長及びマーク長をカウントするスペース・マーク長カウンタ装置と、前記スペース・マーク長カウンタ装置でカウントされたカウント値に基づいて、前記記憶部から所要のタイミングエッジ情報を順次出力させるタイミングシーケンサー装置と、前記記憶部から出力される前記タイミングエッジ情報を基にクロックの遅延量を制御し、所定の遅延量を有するタイミングエッジ情報を出力するタイマー装置と、前記タイマー装置からのタイミングエッジ情報の出力を、並列に出力するよう制御する並列処理シーケンサーと、前記並列処理シーケンサーの制御により、前記並列に出力されたタイミングエッジ情報を基に並列にエッジを生成し、該生成したエッジの合成を行う並列処理回路とを備えたので、ディジタル情報を記録媒体等に記録する書き込みを行う際、高速動作時においても高精度にタイミングエッジを制御することができ、精度の高いマルチパルスを生成することができる効果がある。【００３２】  また、本発明の請求項３に係る光ディスク装置によれば、請求項２に記載の光ディスク装置において、前記記憶部は、前記タイミングエッジ情報を複数有する１つまたは複数のテーブルを有し、前記タイミングエッジ情報は、前記スペース・マーク長カウンタ装置にてカウントされたカウント値に対応するアドレス情報を有しており、前記各テーブルは、それぞれのテーブルに対応するテーブルアドレス情報を有しているので、スペース長及びマーク長に応じたエッジ情報を得ることができる効果がある。【００３３】  また、本発明の請求項４に係る光ディスク装置によれば、請求項３に記載の光ディスク装置において、前記タイミングシーケンサー装置は、前記スペース・マーク長カウンタ装置から出力されるカウント値を基に、該カウント値に対応���るタイミングエッジ情報が格納されているテーブルを参照し、前記タイミングエッジ情報を出力させるものであるので、タイミングシーケンサー装置の動作により、タイマー装置から所要のタイミングエッジ情報を順次出力することができる効果がある。【００３４】  また、本発明の請求項５に係る光ディスク装置によれば、請求項２に記載の光ディスク装置において、前記スペース・マーク長カウンタ装置は、カウント値が一定値を超えた場合、クリッピング処理を行い、予め設定された最大値を出力するので、マーク長やスペース長が長い場合においてもタイミングシーケンサー装置で所要のアドレスを生成することができる効果がある。【００３５】  また、本発明の請求項６に係る光ディスク装置によれば、請求項２に記載の光ディスク装置において、前記記憶部に格納されるタイミングエッジ情報は、少なくとも、複数の固定電流値を含んでおり、前記並列処理回路で合成される記録波形は、前記記憶部に格納された複数の固定電流値から前記マーク長、及び該マーク長の区間におけるスペース長に応じて電流値が選択された記録波形であるので、所望の電流値を有するマルチパルスを得ることができる効果がある。【００３６】  また、本発明の請求項７に係る光ディスク装置によれば、請求項２に記載の光ディスク装置において、前記並列処理回路にて合成される記録波形は、前記マーク長とマーク長との間に一定の電流値を前記レーザダイオードドライバへ出力する期間を有するので、記録媒体を冷却することができる効果がある。【００３７】  また、本発明の請求項８に係る光ディスク装置によれば、請求項２に記載の光ディスク装置において、前記タイマー装置に入力されるタイミングエッジ情報は、少なくとも遅延量及び電流量を含むものとしたので、タイマー装置から所要の遅延量及び電流量を有するタイミングエッジ情報を出力することができる効果がある。【００３８】  また、本発明の請求項９に係る光ディスク装置によれば、請求項８に記載の光ディスク装置において、前記タイマー装置は、前記並列処理シーケンサーの選択制御により、所定の遅延量値を有するタイミングエッジ情報の出力を並列に出力する複数の第１のセレクタ装置と、前記並列処理シーケンサーの選択制御により、所定の電流値を有するタイミングエッジ情報の出力を並列に出力する複数の第２のセレクタ装置とを備え、前記並列処理回路は、前記複数の第１のセレクタ装置からそれぞれ出力されるタイミングエッジ情報をデータセット信号およびリセット信号として入力するＲＳラッチ回路と、前記複数の第２のセレクタ装置からそれぞれ出力されるタイミングエッジ情報を入力し、前記データセット信号、前記リセット信号、及び前記ＲＳラッチ回路からの出力に基づいて、所定の電流値を有する合成エッジを出力する電流値出力制御回路とを備え、前記データセット信号、及びリセット信号は前記並列処理シーケンサーにも入力され、前記並列処理シーケンサーは、前記データセット信号、及びリセット信号の入力に応じて前記タイミングエッジ情報を並列に出力するよう制御するので、複数のタイマーからのタイミングエッジ情報を並列に処理することができ、ディジタル情報を記録媒体等に記録する書き込みの際、高速動作時においても高精度にタイミングエッジを制御することができる効果がある。【００３９】  また、本発明の請求項１０に係る光ディスク装置によれば、請求項２または９に記載の光ディスク装置において、前記タイマー装置は、１つのタイマーで構成されたものとしたので、１つのタイマーを用いた場合においても、高精度にタイミングエッジを制御することができる効果がある。【００４０】  また、本発明の請求項１１に係る光ディスク装置によれば、請求項２または９に記載の光ディスク装置において、前記タイマー装置は、複数のタイマーで構成されたものとしたので、複数のタイマーから高速にタイミングエッジ情報が出力された場合においても、高精度にタイミングエッジを制御することができる効果がある。【００４１】  また、本発明の請求項１２に係る光ディスク装置によれば、請求項２に記載の光ディスク装置において、前記並列処理シーケンサーは、前記タイマー装置から順次出力されるタイミングエッジ情報の出力を、その奇数、偶数出力を各出力順に並列に出力するよう制御するものとしたので、１つまたは複数のタイマーから出力されるタイミングエッジ情報を並列に処理することができる効果がある。【００４２】  また、本発明の請求項１３に係る光ディスク装置によれば、請求項２に記載の光ディスク装置において、前記並列処理シーケンサーは、クロック同期でカウントされるカウンタを有し、該カウンタの所定のカウント値に応じて前記タイマー装置から前記タイミングエッジ情報を出力させるものであり、前記タイミングエッジ情報は、前記タイマー装置により一定値の遅延量だけオフセットされるので、１つまたは複数のタイマーから出力されるタイミングエッジ情報を並列に処理することができる効果がある。【００４３】  また、本発明の請求項１４に係る光ディスク装置によれば、請求項１または２に記載の光ディスク装置において、前記記憶部はレジスタで構成されたものとしたので、レジスタにタイミングエッジ情報を保持することで所要のタイミングエッジ情報を得ることができる効果がある。【００４４】  また、本発明の請求項１５に係る光ディスク装置によれば、請求項１または２に記載の光ディスク装置において、前記記憶部は、複数の仕様の記録媒体の各々対応するテーブルに記憶するテーブル群を有するものとしたので、各々の記録媒体の仕様に対応したタイミングエッジ情報を記憶することができる効果がある。【００４５】  また、本発明の請求項１６に係る光ディスク装置によれば、請求項１または２に記載の光ディスク装置において、前記記憶部へ書き込みされるデータは、外部制御装置から入力されたものであり、前記記憶部は、前記書き込まれたデータに応じて、各々のテーブル群を随時構成するものとしたので、記録しようとする記録波形信号に応じたタイミングエッジ情報を出力することができる効果がある。【００４６】  また、本発明の請求項１７に係る光ディスク装置によれば、請求項１または２に記載の光ディスク装置において、前記クロック生成回路は、ＰＬＬ装置で構成したものとしたので、タイマー装置に対して遅延クロックを生成することができる効果がある。【００４７】  また、本発明の請求項１８に係る光ディスク装置によれば、請求項１または２に記載の光ディスク装置において、記録媒体の温度を検知し、該検知した温度に応じて前記レーザダイオードドライバの光出力値の調整を行う温度検知機能を備えたので、記録媒体の温度に応じてクーリングパルスの電流値を変化させることができる効果がある。【００４８】  また、本発明の請求項１９に係る光ディスク装置によれば、請求項１または２に記載の光ディスク装置において、少なくとも２つの半導体デバイス間で信号伝送を行う際、無線を用いて信号伝送するものとしたので、タイミングエッジ情報等を無線を用いた伝送により記憶させることができる効果がある。【００４９】  また、本発明の請求項２０に係る光ディスク装置によれば、請求項１または２に記載の光ディスク装置において、前記レーザパワーコントロール装置、前記ライトストラテジ装置、及び前記レーザダイオードドライバを同一パッケージ上に搭載したものとしたので、回路規模を抑えることができる効果がある。【００５０】  また、本発明の請求項２１に係る光ディスク装置によれば、請求項１または２に記載の光ディスク装置において、前記レーザパワーコントロール装置、前記ライトストラテジ装置、及び前記レーザダイオードドライバを同一基板上に搭載したものとしたので、さらに回路規模を抑えることができる効果がある。【００５１】  また、本発明の請求項２２に係る光ディスク装置によれば、請求項１または２に記載の光ディスク装置において、前記レーザパワーコントロール装置、前記ライトストラテジ装置、及び前記レーザダイオードドライバを立体的に上下に搭載したものとしたので、さらに回路規模を抑えることができる効果がある。
【図面の簡単な説明】
【００５２】
【図１】図１は、本発明の実施の形態１に係る光ディスク装置を説明する図であり、記録媒体に記録する際に、書き込み補償を行うための構成を示す図
【図２】図２は、本発明の実施の形態１に係る光ディスク装置におけるライトストラテジ装置の構成を示す図
【図３】図３は、ライトストラテジ装置におけるタイミング制御回路２４の構成を説明する図
【図４】図４は、スペース・マーク長カウンタ３１を示す概念図
【図５】図５は、スペース・マーク長カウンタにおいて、スペース長及びマーク長をカウントする動作を示すタイミングチャート
【図６】図６は、本発明の実施の形態１に係る光ディスク装置における、タイミングエッジ情報の並列処理を説明するための概念図
【図７】図７は、本発明の実施の形態１に係る光ディスク装置において、タイミングエッジ情報の並列処理を説明するためのタイミングチャート
【図８】図８は、本発明の実施の形態１に係る光ディスク装置において、奇数・偶数シーケンサーによるタイミングエッジ情報の並列処理の動作を説明するフローチャート
【図９】図９は、本発明の実施の形態１に係る光ディスク装置において、遅延クロックの生成を説明するための図
【図１０】図１０は、本発明の実施の形態１に係る光ディスク装置において、偶数・奇数シーケンサーによるタイミングエッジ情報の並列処理を示す波形図
【図１１】図１１は、従来の光ディスク装置による書き込み補償を説明するためのタイミングチャート
【符号の説明】
【００５３】  １１  レーザパワーコントローラー
１２  ライトストラテジ装置
１３  レーザダイオードドライバ
２１  シリアル／パラレル変換回路
２２  コントロールレジスタ
２３  ＰＬＬ装置
２４  タイミング制御回路
２５  ロジック制御回路
３１  スペース・マーク長カウンタ
３２  タイミングシーケンサー
３３  奇数・偶数シーケンサー
３４  タイマー
３５  並列処理回路
４１  ディジタル信号列
４２  マーク検出信号
４３  スペース検出信号
４４  スペースカウンタ
４５  マークカウンタ
４６、４７、４８  レジスタ
４９  マークエッジ
５０  スペース長１のカウント値
５１  スペース長０のカウント値
５２  マーク長０のカウント値
５３  リセット信号
７１、７２、７３、７４  セレクタ
７５  ＲＳラッチ回路
７６  電流値出力制御回路
１１０  １つのクロック区間に２つのエッジが生成される期間
Ｓ１  タイミングエッジ情報
Ｓ２  パラレル変換されたタイミングエッジ情報
Ｓ３  クロック
Ｓ４  ＮＲＺＩデータ
Ｓ５  ＰＬＬ出力
Ｓ６  アドレスポインタ
Ｓ７  コントロールレジスタから出力されたタイミングエッジ情報
Ｓ８  Ｍｏｄｅ信号
Ｓ９  合成エッジ
Ｓ１０  カウンタ値
Ｓ１１  カウンタ出力
Ｓ１２  カウント情報
Ｓ１３  セレクタ信号
Ｓ１４  タイマーから出力されたタイミングエッジ情報
Ｓ１５  データセット信号、データリセット信号
Ｓ６１  電流値出力制御回路へ入力されるデータセット信号
Ｓ６２  電流値出力制御回路へ入力されるリセット信号
Ｓ６３  ＲＳｏｕｔ
【発明を実施するための最良の形態】
【００５４】  以下、本発明の実施の形態を、図面を参照しながら説明する。【００５５】  （実施の形態１）
図１は本発明の実施の形態１に係る光ディスク装置を説明する図であり、記録媒体に記録する際に、書き込み補償を行うための構成を示す図である。【００５６】  図において、レーザパワーコントローラー（ＬＰＣ）１１は、記録するためのレーザのパワーを制御するものであり、ライトストラテジ装置（ＷＳＴ）１２は、記録パワーを分割し、正確なピット形成のためのマルチパルスを生成するものであり、レーザダイオードドライバ（ＬＤＤ）１３は、ライトストラテジ装置からのマルチパルスに応じて、レーザを照射するものである。【００５７】  次に、本実施の形態１に係る光ディスク装置におけるライトストラテジ装置１２を説明する。【００５８】  図２は本実施の形態１に係る光ディスク装置におけるライトストラテジ装置の構成を示す図である。【００５９】  図２において、ライトストラテジ装置１２は、シリアルで入力され、記録しようとする記録波形信号のエッジを生成するためのタイミングエッジの遅延量及びレーザの電流値等を示すタイミングエッジ情報Ｓ１をパラレル変換するシリアル／パラレル変換回路２１と、パラレル変換されたタイミングエッジ情報Ｓ２を格納するコントロールレジスタ２２と、所定の周期のクロックＳ３を生成するＰＬＬ（Ｐｈａｓｅ  Ｌｏｃｋｅｄ  Ｌｏｏｐ）装置２３、外部から入力したディジタルデータ（ＮＲＺＩ）Ｓ４、及びコントロールレジスタ２２からのタイミングエッジ情報Ｓ７を基にエッジの合成を行い、合成エッジＳ９を出力するタイミング制御回路２４と、コントロールレジスタへの書き込み制御を行うロジック制御回路２５とから構成される。なお、コントロールレジスタはタイミング制御回路２４内に設けてもよく、また、コントロールレジスタを複数備えた構成としてもよい。【００６０】  また、コントロールレジスタ２２には、エッジ合成の際に必要な複数の遅延量及びレーザの複数の電流値等のタイミングエッジ情報Ｓ２が、外部からシリアル／パラレル変換回路２１を介して書き込まれ、該書き込まれたデータからテーブル群が随時構成され、それぞれのテーブルには複数のタイミング情報が格納されている。また、このテーブル群は、ＣＤ−ＲＷ、ＤＶＤ−Ｒ、ＤＶＤ−ＲＡＭ、Ｂｌｕ−ｒａｙ（登録商標）等の記録媒体の仕様に対応するテーブルに書き込まれ、記録する記録媒体に各々対応したテーブル群が構成される。また、コントロールレジスタ２２に書き込まれたそれぞれのテーブル及びタイミングエッジ情報は、それぞれ対応するアドレスを有しており、タイミング制御回路２４から出力されるアドレスポインタＳ６に応じて所要のタイミングエッジ情報が出力される。【００６１】  そしてタイミング制御回路２４は、コントロールレジスタ２２から出力されたタイミングエッジ情報Ｓ７を入力し、該入力したタイミングエッジ情報を並列処理し、エッジ合成を行う。【００６２】  また、ロジック制御回路２５は、レジスタへのアクセス制御を行っており、Ｍｏｄｅ信号Ｓ８を発生し、Ｍｏｄｅ信号が“１”であるときはレジスタへの書き込みを行わないようにする。つまりデータの書き込みおよび読み込みの際にｄａｔａ  ｃｏｎｆｌｉｃｔが発生しないよう制御する。ＰＬＬ装置２３で生成される信号Ｓ５等の各種制御���号の組み合わせにより条件が成立するとＭｏｄｅ信号が“１”となる。【００６３】  図３は、タイミング制御回路２４の構成を示す図である。【００６４】  図３において、タイミング制御回路２４は、装置外部から入力したディジタルデータであるＮＲＺＩデータＳ４のスペース長及びマーク長のパターン列をカウントするスペース・マーク長カウンタ３１と、スペース・マーク長カウンタ３１からのカウント値Ｓ１０に基づいてコントロールレジスタに対するアドレスポインタＳ６を生成するタイミングシーケンサー３２と、タイミングシーケンサー３２からの出力に応じてコントロールレジスタ２２から出力されるタイミングエッジ情報Ｓ７を基に、所定の遅延量及び電流値を有するタイミングエッジ情報Ｓ１４を出力するタイマー装置３４と、タイマー装置３４から順次出力されるタイミングエッジ情報Ｓ１４の出力を、その奇数、偶数出力を各出力順に並列に出力するように制御する奇数・偶数シーケンサー３３と、奇数・偶数シーケンサー３３の制御によって奇数、偶数出力の各出力順に出力されたタイミングエッジ情報を基に並列にエッジを生成し、該生成したエッジの合成を行い、合成エッジＳ９を出力する並列処理回路３５とから構成される。なお、本実施の形態１においてタイマー装置３４は４つのタイマーを備えたものとする。【００６５】  次に、図４、図５を用いてスペース・マーク長カウンタを詳細に説明する。【００６６】  図４は、スペース・マーク長カウンタ３１のカウント動作を示す概念図であり、図５はスペース長、及びマーク長の検出動作を示すタイミングチャートである。【００６７】  図４におけるスペース・マーク長カウンタでは入力されたＮＲＺＩデータ４１の立ち上がりエッジと立下りエッジを検出しカウント動作を行う。つまりクロックに同期しているＮＲＺＩデータ４１が“１０００１１１１０００００１”となっていた場合、１→０への遷移、すなわち立下りエッジ、からスペース長のカウントが始まり、また、０→１への遷移、すなわち立ち上がりエッジ、からマーク長のカウントが始まる。ここで、ある一定値を超えるカウントがあった場合は、クリッピングされ最大値を出力する構成となっている。【００６８】  また、図において、スペース・マーク長カウンタ３１では、１クロック差のディジタル信号列ｎｒｚｉ＿ｄ１、及びｎｒｚｉ＿ｄ２を用いることにより、スペース検出、及びマーク検出を可能にしている。【００６９】  まず、スペースカウンタ４４は、ディジタル信号列４１からスペースを検出した時、リセット信号５３が有効となることによりカウント値（ｓｐ＿ｃｎｔ）がリセットされ、図５に示すようにスペース検出信号（ｄｅｔ＿ｓｐ）４３の立ち下がり時に、スペース長のカウントを始める。そして、ディジタル信号列４１からマークを検出するまでカウントを続け、マークを検出した時に該カウントしたスペース長をスペース長１として、レジスタ４６でカウント値（ｓｐ＿ｃｎｔ）である２を保持する。【００７０】  そして、マークカウンタ４５は、ディジタル信号列４１からマークを検出した時、リセット信号５３が有効となることによりカウント値（ｍｋ＿ｃｎｔ）がリセットされ、図５に示すようにマーク検出信号（ｄｅｔ＿ｍｋ）４２の立ち下がり時に、マーク長のカウントを始める。そして、ディジタル信号列４１からスペースを検出するまでカウントを続け、スペースを検出した時に該カウントしたマーク長をマーク長０として、レジスタ４８でカウント値（ｍｋ＿ｃｎｔ）である３を保持する。【００７１】  そして、スペースカウンタ４４は、ディジタル信号列４１からスペースを検出した時、まず、レジスタ４６に保持しているスペース長１をスペース長０としてレジスタ４７で保持する。そしてリセット信号５３が有効となることによりカウント値（ｓｐ＿ｃｎｔ）がリセットされ、図５に示すようにスペース検出信号（ｄｅｔ＿ｓｐ）の立ち下がり時に、スペース長のカウントを始める。そして、ディジタル信号列４１からマークを検出するまでカウントを続け、マークを検出した時に該カウントしたスペース長をスペース長１として、レジスタ４６でカウント値（ｓｐ＿ｃｎｔ）である２を保持する。すなわち、カウント値をスペース−マーク−スペースのパターンでカウントするため、時系列的に先にカウントしたスペース長のカウント値をスペース長０、後にカウントしたスペース長のカウント値（ｓｐ＿ｃｎｔ）をスペース長１とする。【００７２】  また、スペース・マーク長カウンタ３１は、マーク検出したことを示すマークエッジ（ｍｋ＿ｅｄｇｅ）を出力する。【００７３】  このように、スペース・マーク長カウンタは、スペース長０（５１）、マーク長０（５２）、スペース長１（５０）をカウントし、該カウント値、及びマークエッジ（ｍｋ＿ｅｄｇｅ）４９をタイミングシーケンサー３２及び奇数・偶数シーケンサー３３に出力する。【００７４】  次に、図６を用いて並列処理回路３５で行うタイミングエッジ情報の並列処理について詳細に説明する。【００７５】  図６は、本実施の形態１に係る光ディスク装置において、タイミングエッジ情報の並列処理を示す概念図である。【００７６】  図６において、奇数・偶数シーケンサー３３は、スペース・マーク長カウンタ３１から出力されたマークエッジ（ｍｋ＿ｅｄｇｅ）、マーク長０のカウント値、後述するデータセット信号及びデータリセット信号を入力とし、タイマー動作を並列処理するためのセレクタ信号１及びセレクタ信号２を出力する。【００７７】  タイマー装置３４は、４つのタイマー、Ｔｉｍｅｒ１〜Ｔｉｍｅｒ４のうち、奇数・偶数シーケンサー３３からのセレクタ信号Ｓ１３によりいずれかのタイマー出力が選択されるセレクタ７１〜７４を備えており、選択されたＴｉｍｅｒから所定の電流増幅量を有するとともに所定の遅延量だけ遅延されたタイミングエッジ情報を出力する。このように、各タイマーでは、クロックに同期したタイミングエッジ情報をコントロールレジスタ２２から入力した所定の遅延量だけ遅延させて信号Ｓ１４を出力する。このときの遅延量はタイミングシーケンサー３２で生成されたアドレスポインタＳ６より、その値に応じた最初に出力される遅延量は決まっているので、この遅延量より遅延クロックを生成する。各タイマーにおける遅延量は、例えば、図９に示すような自然数“ｎ”の段数を持つシフトレジスタで構成された遅延クロック生成回路で生成するとよい。例えば、遅延量が４であれば４／ｎ遅���することを意味する。【００７８】  セレクタ７１は、各タイマー動作により順次出力されるタイミングエッジ情報の出力順の奇数出力のタイミングエッジ情報の電流増幅量を出力するものであり、セレクタ７２は、各タイマー動作により順次出力されるタイミングエッジ情報の出力順の偶数出力のタイミングエッジ情報の電流増幅量を出力するものであり、セレクタ７３は、各タイマー動作により順次出力されるタイミングエッジ情報の出力順の奇数出力で、所定の遅延量値を有するタイミングエッジ情報を出力するものであり、セレクタ７４は、各タイマー動作により順次出力されるタイミングエッジ情報の出力順の偶数出力で所定の遅延量値だけ遅延されたタイミングエッジ情報を出力するものである。【００７９】  並列処理回路３５は、ＲＳラッチ回路７５と電流値出力制御回路７６とを有しており、ＲＳラッチ回路７５は、タイマー装置３４から出力されるタイミングエッジ情報の出力順の奇数出力であるセレクタ７３からのタイミングエッジ情報Ｓ１４をデータセット信号とし、タイマー装置３４から出力されるタイミングエッジ情報の出力順の偶数出力であるセレクタ７４からのタイミングエッジ情報Ｓ１４をデータリセット信号としてＲＳｏｕｔを出力する。また、データセット信号、データリセット信号は、それぞれ奇数出力、偶数出力を示すための信号Ｓ１５として奇数・偶数シーケンサー３３に出力されるとともに電流値出力制御回路７６に出力され、ＲＳｏｕｔは、電流値出力制御回路７６に出力される。電流値出力制御回路７６は、ＲＳラッチ回路７５からのデータセット信号、リセット信号、ＲＳｏｕｔを入力するとともに、前記奇数出力であるセレクタ７１からの電流増幅量、及び前記偶数出力であるセレクタ７２からの電流増幅量を入力し、電流値が制御された合成エッジを出力する。このように行うことで、複数のタイミングエッジを並列処理することができる。【００８０】  図１０は本発明の実施の形態１におけるタイマー制御を示す図である。【００８１】  まず、Ｔｉｍｅｒ１のタイミングエッジ情報が出力されると、データセット信号が出力され、タイミング情報の出力順の奇数出力を示すタイミングエッジａが立ち上がる。そして、次の出力順であるＴｉｍｅｒ３のタイミングエッジ情報が出力されると、リセット信号が出力され、タイミング情報の出力順の偶数出力を示すタイミングエッジｂが立ち上がる。これにより、電流値出力制御回路７６から最終形の合成エッジが生成され、以下、タイミングエッジｃ〜ｈまでこの動作を繰り返すことにより、所定の電流増幅量を有する合成エッジが生成される。【００８２】  次に、本発明の実施の形態１に係る光ディスク装置の動作を説明する。【００８３】  まず、記録しようとする記録波形情報のエッジを生成するためのタイミングエッジ情報Ｓ１がシリアル／パラレル変換回路２１でパラレル変換され、コントロールレジスタ２２に記憶される。そして、スペース・マーク長カウンタ３１はＮＲＺＩデータＳ４を入力して、スペース長、及びマーク長をカウントする。タイミングシーケンサー３２は、スペース・マーク長カウンタ３１でカウントされたカウント値Ｓ１０に対応するアドレスポインタＳ６をコントロールレジスタ���２に順次出力し、コントロールレジスタ２２はタイミングシーケンサー３２から順次出力されるアドレスポインタＳ６に応じたタイミングエッジ情報Ｓ７をそれぞれ対応する各タイマーに順次出力する。このように、タイミングシーケンサー３２が、シーケンサー制御を行う際、コントロールレジスタ２２に格納されたテーブルを参照することにより、スペース長、マーク長のカウント値に対応したタイミングエッジ情報をコントロールレジスタ２２から出力する。そして、各タイマーはコントロールレジスタ２２からのタイミングエッジ情報Ｓ７を基に遅延量を制御し、所定の遅延量を有するタイミングエッジ情報Ｓ１４をそれぞれ出力する。すなわち、各タイマーから出力されるタイミングエッジ情報の出力順はコントロールレジスタ２２を介してタイミングシーケンサー３２で制御されており、タイミングシーケンサー３２からの出力に応じて、各タイマーからタイミングエッジ情報が順次出力される。【００８４】  そして、奇数・偶数シーケンサー３３は、セレクタ７１〜７４を制御することにより、各タイマーから順次出力されるタイミングエッジ情報Ｓ１４の出力を、その奇数、偶数出力を各出力順に並列に出力するよう制御し、電流値出力制御回路７６は、並列に入力したタイミングエッジ情報から、合成エッジＳ９を出力する。【００８５】  次に、本実施の形態１における光ディスク装置において、タイミングエッジ情報を並列処理し、エッジ合成する動作を、図６〜図８を用いて説明する。【００８６】  図７は、本実施の形態１に係る光ディスク装置によるエッジ合成を示すタイミングチャートである。【００８７】  図において、クロック同期でカウントされるカウント値（ｃｎｔ）は、奇数・偶数シーケンサー３３でカウントされる値であり、この値はどのタイミングで各タイマーＴｉｍｅｒ１〜Ｔｉｍｅｒ４を動かすかというｅｎａｂｌｅ信号生成に用いられる。この値（Ｔｉｍｅｒを動かす）はタイミングシーケンサー３２からの出力Ｓ１２に応じて予め決められる。各タイマーＴｉｍｅｒ１〜Ｔｉｍｅｒ４はそれぞれ所定の遅延動作を行ない、その出力はセレクタ７１〜７４により選択されて並列処理回路３５に出力される。【００８８】  また、Ｐ１〜Ｐ５はタイミングエッジ情報の電流値を示しており、さらに電流値の振幅を示すｗｒｉｔｅ  ｃｕｒｒｅｎｔにおいては、マーク長とマーク長の間の区間に一定レベルのｗｒｉｔｅ  ｃｕｒｒｅｎｔが存在しているが、これはクーリングパルス（ＰＣＬ）といって媒体を冷却する期間であり、常に一定の書き込み電流である。また媒体の温度特性によりレーザの駆動が時々刻々と変化するので、記録媒体の温度を検知し、該検知した温度に応じてレーザダイオードドライバの光出力値の自動調整を行う温度検知機能を備えることにより、前述したクーリングパルスの電流値を変化させる構成も可能である。【００８９】  図８は、奇数・偶数シーケンサー３３にて各タイマーからタイミングエッジ情報を並列に出力するよう制御する動作を示すフローチャートである。【００９０】  奇数・偶数シーケンサー３３は、スペース・マーク長カウンタ３１からマークエッジ（ｍｋ＿ｅｄｇｅ）を入力すると（ステップＳ９０１）、まず、奇数出力を示す���レクタ信号１を所定のカウント時に応じて出力する（ステップＳ９０２）。そしてセレクタ信号１（Ｓ１３）は、セレクタ７１、７３に入力され、各タイマーＴｉｍｅｒ１〜Ｔｉｍｅｒ４のうちのいずれかのＴｉｍｅｒから所定の電流値、遅延量を有するタイミングエッジ情報Ｓ１４が並列処理回路３５に出力される。【００９１】  そして、並列処理回路３５において、セレクタ７１から所定の電流増幅量が電流値出力制御回路７６に入力され、セレクタ７３から所定の遅延量だけ遅延されたタイミングエッジ情報が、データセット信号としてＲＳラッチ回路７５に入力される。また、データセット信号は、Ｓ１５として奇数・偶数シーケンサー３３に出力されるとともに、Ｓ６１として電流値出力制御回路７６に出力される。【００９２】  次に、奇数・偶数シーケンサー３３は、データセット信号Ｓ１５が入力されると（ステップＳ９０３）、偶数出力を示すセレクタ信号２（Ｓ１３）を所定のカウント値に応じて出力する（ステップＳ９０４）。そしてセレクタ信号２は、セレクタ７２、７４に入力され、各タイマーＴｉｍｅｒ１〜Ｔｉｍｅｒ４のうちのいずれかのＴｉｍｅｒから所定の電流値、遅延量を有するタイミングエッジ情報Ｓ１４が並列処理回路３５に出力される。【００９３】  そして、並列処理回路３５において、セレクタ７２から所定の電流増幅量が、電流値出力制御回路７６に入力され、セレクタ７４から所定の遅延量だけ遅延されたタイミングエッジ情報が、リセット信号としてＲＳラッチ回路７５に出力される（ステップＳ９０５）。また、リセット信号は、Ｓ１５として奇数・偶数シーケンサー３３に出力されるとともに、Ｓ６１として電流値出力制御回路７６に出力される。このとき、ＲＳラッチ回路７５の出力であるＲＳｏｕｔ（Ｓ６３）は、電流値出力制御回路７６に出力される。【００９４】  そして、奇数・偶数シーケンサー３３は、以上の動作をマーク長０（Ｓ１１）の期間繰り返し行い、マークエッジＳ１１が検出されたならば（ステップＳ９０６）、１つのマークのエッジ合成が終了したものと判断し、カウント値がリセットされるとともに次のマークのエッジ合成を行う。その結果、電流値出力制御回路７６から所定の電流増幅量を有する合成エッジＳ９が生成される。【００９５】  以上のような本発明の実施の形態１に係る光ディスク装置は、ディジタル信号列を記録媒体に記録するためのレーザのパワーを制御するレーザパワーコントロール装置１１と、記録パワーを分割し、正確なピット形成のためのマルチパルスを生成するライトストラテジ装置１２と、該ライトストラテジ装置１２からのマルチパルスに応じて、レーザを照射するレーザダイオードドライバ１３とを有し、前記ディジタル信号列に対応したエッジ及び振幅を有する記録波形信号を生成する光ディスクにおいて、前記ライトストラテジ装置１２は、前記記録波形信号のエッジの生成に用いるためのタイミングエッジ情報を記憶するコントロールレジスタ２２と、前記記録波形信号のエッジを生成するためのクロックを生成するＰＬＬ２３と、前記記録波形信号に対応するタイミングエッジ情報を前記コントロールレジスタ２２から入力し、該入力したタイミングエッジ情報を並列処理し、該並列処理したタイミングエッジ情報の合成を行うタイミング制御回路２４とを備え、タイミング制御回路２４では、スペース・マーク長カウンタ３１でディジタル信号列のスペース長およびマーク長をカウントし、タイミングシーケンサー３２にて、該カウント値に基づいて、コントロールレジスタ２２から所要のタイミングエッジ情報を出力させ、各タイマーＴｉｍｅｒ１〜Ｔｉｍｅｒ４からの出力を、奇数・偶数シーケンサー３３により、奇数・偶数出力の出力順に並列に出力させ、並列処理回路３５で、該並列に出力されたタイミングエッジ情報を基にエッジを生成し、該生成したエッジを合成するようにしたので、ディジタル情報を記録する媒体等に記録する信号の書込みにおいて、高速動作時でも高精度にタイミングエッジを制御することができる。【００９６】  なお、本実施の形態１に係る光ディスク装置において、タイマー３４を４つのタイマーから構成されるものについて説明したが、これに限るものではなく、１つまたは複数のタイマーを用いた場合でも本発明は有効である。【００９７】  また、本実施の形態１に係る光ディスク装置において、各タイマーから順次出力されるタイミングエッジ情報の奇数及び偶数出力の各出力順に応じて２つのタイミングエッジ情報出力の並列処理を行う例を説明したが、これに限るものではなく、２つ以上のタイミングエッジ情報出力を並列処理するような構成にしてもよい。また、各タイマーの出力をそれぞれ並列に処理するような構成にしてもよい。【００９８】  また、本実施の形態１に係る光ディスク装置において、コントロールレジスタ２２を用いたが、これに限るものではなく、例えばＲＡＭ（Ｒａｎｄｏｍ  Ａｃｃｅｓｓ  Ｍｅｍｏｒｙ）等の記憶装置を用いてもよい。【００９９】  また、本実施の形態１に係る光ディスク装置において、レーザパワーコントローラー１１、ライトストラテジ装置１２、及びレーザダイオードドライバ１３をＳｏＣ（Ｓｙｓｔｅｍ  ｏｎ  Ｃｈｉｐ）など同一パッケージ上に構成してもよく、これにより、回路規模を抑えることができる。【０１００】  また、本実施の形態１に係る光ディスク装置において、レーザパワーコントローラー１１、ライトストラテジ装置１２、及びレーザダイオードドライバ１３を同一基板上に構成してもよく、これによりさらに回路規模を抑えることができる。【０１０１】  また、本実施の形態１に係る光ディスク装置において、レーザパワーコントローラー１１、ライトストラテジ装置１２、及びレーザダイオードドライバ１３を、立体的に構成してもよく、例えば、ライトストラテジ装置１２の下にレーザダイオードドライバのデバイスを実装し、その下にレーザパワーコントローラー１１を備えるようにしてもよく、これにより、さらに回路規模を抑えることができる。【０１０２】  また、本実施の形態１に係る光ディスク装置において、少なくとも２つのデバイス間で信号伝送を行う際、無線を用いて信号伝送するようにしてもよい。
【産業上の利用可能性】
【０１０３】  本発明にかかる光ディスク装置は、ディジタル信号処理技術を有し、記録再生技術における、例えばＤＶＤ装置等として有用である。
【図１】
2006070525.tif 000002
【図２】
2006070525.tif 000003
【図３】
2006070525.tif 000004
【図４】
2006070525.tif 000005
【図５】
2006070525.tif 000006
【図６】
2006070525.tif 000007
【図７】
2006070525.tif 000008
【図８】
2006070525.tif 000009
【図９】
2006070525.tif 000010
【図１０】
2006070525.tif 000011
【図１１】
2006070525.tif 000012
【手続補正書】
【提出日】平成18年4月12日(2006.4.12)
【手続補正１】
【補正対象書類名】特許請求の範囲
【補正対象項目名】請求の範囲
【補正方法】変更
【補正の内容】
【書類名】請求の範囲
【請求項１】（削除）
【請求項２】（補正後）  ディジタル信号列を記録媒体に記録するためのレーザのパワーを制御するレーザパワーコントロール装置と、記録パワーを分割し、正確なピット形成のためのマルチパルスを生成するライトストラテジ装置と、該ライトストラテジ装置からのマルチパルスに応じて、レーザを照射するレーザダイオードドライバとを有し、前記ディジタル信号列に対応したエッジ及び振幅を有する記録波形信号を生成する光ディスク装置において、
前記ライトストラテジ装置は、
前記記録波形信号のエッジの生成に用いるためのタイミングエッジ情報を記憶する記憶部と、
前記記録波形信号のエッジを生成するためのクロックを生成するクロック生成回路と、
前記記録波形信号に対応するタイミングエッジ情報を前記記憶部から入力し、該入力したタイミングエッジ情報を並列処理し、該並列処理したタイミングエッジ情報を基にエッジを生成し、該生成したエッジの合成を行うタイミング制御回路とを備え、
前記タイミング制御回路は、
前記ディジタル信号列を入力し、該ディジタル信号列のスペース長及びマーク長をカウントするスペース・マーク長カウンタ装置と、
前記スペース・マーク長カウンタ装置でカウントされたカウント値に基づいて、前記記憶部から所要のタイミングエッジ情報を順次出力させるタイミングシーケンサー装置と、
前記記憶部から出力される前記タイミングエッジ情報を基にクロックの遅延量を制御し、所定の遅延量を有するタイミングエッジ情報を出力するタイマー装置と、
前記タイマー装置からのタイミングエッジ情報の出力を、並列に出力するよう制御する並列処理シーケンサーと、
前記並列処理シーケンサーの制御により、前記並列に出力されたタイミングエッジ情報を基に並列にエッジを生成し、該生成したエッジの合成を行う並列処理回路とを備えた、
ことを特徴とする光ディスク装置。
【請求項３】請求項２に記載の光ディスク装置において、
前記記憶部は、前記タイミングエッジ情報を複数有する１つまたは複数のテーブルを有し、
前記タイミングエッジ情報は、前記スペース・マーク長カウンタ装置にてカウントされたカウント値に対応するアドレス情報を有しており、
前記各テーブルは、それぞれのテーブルに対応するテーブルアドレス情報を有している、
ことを特徴とする光ディスク装置。
【請求項４】請求項３に記載の光ディスク装置において、
前記タイミングシーケンサー装置は、前記スペース・マーク長カウンタ装置から出力されるカウント値を基に、該カウント値に対応するタイミングエッジ情報が格納されているテーブルを参照し、前記タイミングエッジ情報を出力させるものである、
ことを特徴とする光ディスク装置。
【請求項５】請求項２に記載の光ディスク装置において、
前記スペース・マーク長カウンタ装置は、カウント値が一定値を超えた場合、クリッピング処理を行い、予め設定された最大値を出力する、
ことを特徴とする光ディスク装置。
【請求項６】請求項２に記載の光ディスク装置において、
前記記憶部に格納されるタイミングエッジ情報は、少なくとも、複数の固定電流値を含んでおり、
前記並列処理回路で合成される記録波形は、前記記憶部に格納された複数の固定電流値から前記マーク長、及び該マーク長の区間におけるスペース長に応じて電流値が選択された記録波形である、
ことを特徴とする光ディスク装置。
【請求項７】請求項２に記載の光ディスク装置において、
前記並列処理回路にて合成される記録波形は、前記マーク長とマーク長との間に一定の電流値を前記レーザダイオードドライバへ出力する期間を有する、
ことを特徴とする光ディスク装置。
【請求項８】請求項２に記載の光ディスク装置において、
前記タイマー装置に入力されるタイミングエッジ情報は、少なくとも遅延量及び電流量を含むものである、
ことを特徴とする光ディスク装置。
【請求項９】請求項８に記載の光ディスク装置において、
前記タイマー装置は、
前記並列処理シーケンサーの選択制御により、所定の遅延量値を有するタイミングエッジ情報の出力を並列に出力する複数の第１のセレクタ装置と、
前記並列処理シーケンサーの選択制御により、所定の電流値を有するタイミングエッジ情報の出力を並列に出力する複数の第２のセレクタ装置とを備え、
前記並列処理回路は、
前記複数の第１のセレクタ装置からそれぞれ出力されるタイミングエッジ情報をデータセット信号およびリセット信号として入力するＲＳラッチ回路と、
前記複数の第２のセレクタ装置からそれぞれ出力されるタイミングエッジ情報を入力し、前記データセット信号、前記リセット信号、及び前記ＲＳラッチ回路からの出力に基づいて、所定の電流値を有する合成エッジを出力する電流値出力制御回路とを備え、
前記データセット信号、及びリセット信号は前記並列処理シーケンサーにも入力され、
前記並列処理シーケンサーは、前記データセット信号、及びリセット信号の入力に応じて前記タイミングエッジ情報を並列に出力するよう制御する、
ことを特徴とする光ディスク装置。
【請求項１０】請求項２または９に記載の光ディスク装置において、
前記タイマー装置は、１つのタイマーで構成されたものである、
ことを特徴とする光ディスク装置。
【請求項１１】請求項２または９に記載の光ディスク装置において、
前記タイマー装置は、複数のタイマーで構成されたものである、
ことを特徴とする光ディスク装置。
【請求項１２】請求項２または９に記載の光ディスク装置において、
前記並列処理シーケンサーは、前記タイマー装置から順次出力されたタイミングエッジ情報を、その奇数、偶数出力を各出力順に並列に出力するよう制御するものである、
ことを特徴とする光ディスク装置。
【請求項１３】請求項２に記載の光ディスク装置において、
前記並列処理シーケンサーは、前記スペース・マーク長カウンタ装置に接続され、一定値のオフセットを元にカウンタ動作を行い、シーケンサー制御を行う、
ことを特徴とする光ディスク装置。
【請求項１４】（削除）
【請求項１５】（削除）
【請求項１６】（削除）
【請求項１７】（削除）
【請求項１８】（削除）
【請求項１９】（削除）
【請求項２０】（削除）
【請求項２１】（削除）
【請求項２２】（削除）
【手続補正書】
【提出日】平成19年6月22日(2007.6.22)
【手続補正１】
【補正対象書類名】特許請求の範囲
【補正対象項目名】全文
【補正方法】変更
【補正の内容】
【特許請求の範囲】
【請求項１】
ディジタル信号列を記録媒体に記録するためのレーザのパワーを制御するレーザパワーコントロール装置と、記録パワーを分割し、正確なピット形成のためのマルチパルスを生成するライトストラテジ装置と、該ライトストラテジ装置からのマルチパルスに応じて、レーザを照射するレーザダイオードドライバとを有し、前記ディジタル信号列に対応したエッジ及び振幅を有する記録波形信号を生成する光ディスク装置において、
前記ライトストラテジ装置は、
前記記録波形信号のエッジの生成に用いるためのタイミングエッジ情報を記憶する記憶部と、
前記記録波形信号のエッジを生成するためのクロックを生成するクロック生成回路と、
前記記録波形信号に対応するタイミングエッジ情報を前記記憶部から入力し、該入力したタイミングエッジ情報を並列処理し、該並列処理したタイミングエッジ情報を基にエッジを生成し、該生成したエッジの合成を行うタイミング制御回路とを備え、
前記タイミング制御回路は、
前記ディジタル信号列を入力し、該ディジタル信号列のスペース長及びマーク長をカウントするスペース・マーク長カウンタ装置と、
前記スペース・マーク長カウンタ装置でカウントされたカウント値に基づいて、前記記憶部から所要のタイミングエッジ情報を順次出力させるタイミングシーケンサー装置と、
前記記憶部から出力される前記タイミングエッジ情報を基にクロックの遅延量を制御し、所定の遅延量を有するタイミングエッジ情報を出力するタイマー装置と、
前記タイマー装置からのタイミングエッジ情報の出力を、並列に出力するよう制御する並列処理シーケンサーと、
前記並列処理シーケンサーの制御により、前記並列に出力されたタイミングエッジ情報を基に並列にエッジを生成し、該生成したエッジの合成を行う並列処理回路とを備えた、
ことを特徴とする光ディスク装置。
【請求項２】
請求項１に記載の光ディスク装置において、
前記記憶部は、前記タイミングエッジ情報を複数有する１つまたは複数のテーブルを有し、
前記タイミングエッジ情報は、前記スペース・マーク長カウンタ装置にてカウントされたカウント値に対応するアドレス情報を有しており、
前記各テーブルは、それぞれのテーブルに対応するテーブルアドレス情報を有している、
ことを特徴とする光ディスク装置。
【請求項３】
請求項２に記載の光ディスク装置において、
前記タイミングシーケンサー装置は、前記スペース・マーク長カウンタ装置から出力されるカウント値を基に、該カウント値に対応するタイミングエッジ情報が格納されているテーブルを参照し、前記タイミングエッジ情報を出力させるものである、
ことを特徴とする光ディスク装置。
【請求項４】
請求項１に記載の光ディスク装置において、
前記スペース・マーク長カウンタ装置は、カウント値が一定値を超えた場合、クリッピング処理を行い、予め設定された最大値を出力する、
ことを特徴とする光ディスク装置。
【請求項５】
請求項１に記載の光ディスク装置において、
前記記憶部に格納されるタイミングエッジ情報は、少なくとも、複数の固定電流値を含んでおり、
前記並列処理回路で合成される記録波形は、前記記憶部に格納された複数の固定電流値から前記マーク長、及び該マーク長の区間におけるスペース長に応じて電流値が選択された記録波形である、
ことを特徴とする光ディスク装置。
【請求項６】
請求項１に記載の光ディスク装置において、
前記並列処理回路にて合成される記録波形は、前記マーク長とマーク長との間に一定の電流値を前記レーザダイオードドライバへ出力する期間を有する、
ことを特徴とする光ディスク装置。
【請求項７】
請求項１に記載の光ディスク装置において、
前記タイマー装置に入力されるタイミングエッジ情報は、少なくとも遅延量及び電流量を含むものである、
ことを特徴とする光ディスク装置。
【請求項８】
請求項７に記載の光ディスク装置において、
前記タイマー装置は、
前記並列処理シーケンサーの選択制御により、所定の遅延量値を有するタイミングエッジ情報の出力を並列に出力する複数の第１のセレクタ装置と、
前記並列処理シーケンサーの選択制御により、所定の電流値を有するタイミングエッジ情報の出力を並列に出力する複数の第２のセレクタ装置とを備え、
前記並列処理回路は、
前記複数の第１のセレクタ装置からそれぞれ出力されるタイミングエッジ情報をデータセット信号およびリセット信号として入力するＲＳラッチ回路と、
前記複数の第２のセレクタ装置からそれぞれ出力されるタイミングエッジ情報を入力し、前記データセット信号、前記リセット信号、及び前記ＲＳラッチ回路からの出力に基づいて、所定の電流値を有する合成エッジを出力する電流値出力制御回路とを備え、
前記データセット信号、及びリセット信号は前記並列処理シーケンサーにも入力され、
前記並列処理シーケンサーは、前記データセット信号、及びリセット信号の入力に応じて前記タイミングエッジ情報を並列に出力するよう制御する、
ことを特徴とする光ディスク装置。
【請求項９】
請求項１または８に記載の光ディスク装置において、
前記タイマー装置は、１つのタイマーで構成されたものである、
ことを特徴とする光ディスク装置。
【請求項１０】
請求項１または８に記載の光ディスク装置において、
前記タイマー装置は、複数のタイマーで構成されたものである、
ことを特徴とする光ディスク装置。
【請求項１１】
請求項１または８に記載の光ディスク装置において、
前記並列処理シーケンサーは、前記タイマー装置から順次出力されたタイミングエッジ情報を、その奇数、偶数出力を各出力順に並列に出力するよう制御するものである、
ことを特徴とする光ディスク装置。
【請求項１２】
請求項１に記載の光ディスク装置において、
前記並列処理シーケンサーは、前記スペース・マーク長カウンタ装置に接続され、一定値のオフセットを元にカウンタ動作を行い、シーケンサー制御を行う、
ことを特徴とする光ディスク装置。
【手続補正２】
【補正対象書類名】明細書
【補正対象項目名】全文
【補正方法】変更
【補正の内容】
【発明の詳細な説明】
【技術分野】
【０００１】
本発明は、光ディスク装置に関するものであり、特に、光ディスク記録媒体へディジタル情報を高精度に書き込みする光ディスク装置に関するものである。
【背景技術】
【０００２】
近年、磁気記録装置、光ディスク記憶装置、半導体メモリ記憶装置など、ディジタル情報を記録する記憶装置が広く活用され、記録密度が年々高密度化するとともに高倍速化してきている。光ディスク記録媒体へ書き込みする場合、基本的な原理はディジタル情報に対応して、情報の“１”の場合レーザを照射、情報“０”の場合レーザを照射しないというＯＮ、ＯＦＦ制御する方法である。しかしながら単純にレーザ照射を“０”、“１”に対応させてＯＮ、ＯＦＦを行うだけでは高密度記録が困難で良好なピットを形成できないという問題がある。そこでライトストラテジ（Ｗｒｉｔｅ  Ｓｔｒａｔｅｇｙ）と呼ばれる記録パワーを分割しマルチパルスを生成し制御する技術が必須となってきている（例えば特許文献１〜３）。ライトストラテジは光ディスクにおけるピットを正確に記録するための記録補償技術のことを指す。この記録補償が無いとピットが涙目状になってしまい良好なピット形成ができなくなり、データの読み取り誤りを引き起こす原因となる。よって光ディスクへ書き込みをする際には必須な技術である。
【０００３】
図１１は従来方式によるタイミングエッジ情報を示すタイミングチャート図である。
【０００４】
そして、マルチパルスを生成する従来の技術として、それぞれタイミングエッジ情報を出力する複数のタイマーを備え、シーケンサーを用いて各タイマーを動作させ、複数のタイミングエッジを生成し、該タイミングエッジを合成することによりマルチパルスを生成する例について説明する。
【０００５】
各タイマーにおけるタイミングエッジの遅延量、及びレーザダイオードドライバを駆動するパワー量である電流値は、入力されたディジタル信号列（ＮＲＺＩデータ）のスペース長とマーク長とをカウントするスペース・マーク長カウンタ装置によってカウントされたカウント値を元に決定される。これにより、各タイマーにおいてクロックに同期したタイミングエッジ情報はそれぞれ所定量遅延される。そして、各タイマーを動作させる順番を決めるシーケンサーによって、各タイマーのタイミングエッジ情報の出力が制御され、各タイマーからの情報に基づいてタイミングエッジを生成し、それらのエッジを合成することによりマルチパルスが生成される。例えば、図に示すように、マークの最初の立ちあがりエッジのタイミング情報を示すＴＳＦＰ（Ｔｉｍｉｎｇ  ｆｏｒ  Ｓｔａｒｔ  ｏｆ  Ｆｉｒｓｔ  Ｐｕｌｓｅ）が、シーケンサーの制御によってＴｉｍｅｒ１から出力され、次にシーケンサーの制御によって、マークの最初の立ち下がりエッジのタイミング情報を示すＴＥＦＰ（Ｔｉｍｉｎｇ  ｆｏｒ  Ｅｎｄ  ｏｆ  Ｆｉｒｓｔ  Ｐｕｌｓｅ）がＴｉｍｅｒ２から出力され、これらのパルスが合成される。以下、各タイマーは、シーケンサーの出力に応じて、マークの最後のエッジの立ち下がりを示すＴＥＬＰ（Ｔｉｍｉｎｇ  ｆｏｒ  Ｅｎｄ  ｏｆ  Ｌａｓｔ  Ｐｕｌｓｅ）まで出力され、これらのタイミングエッジ情報は合成され、所定の電流値を有するエッジが生成される。
【特許文献１】特開平１１−２８３２４９号公報
【特許文献２】特開２００３−１８７４４２号公報
【特許文献３】特開平２−９４１１３号公報
【発明の開示】
【発明が解決しようとする課題】
【０００６】
しかしながら、対応するメディア、倍速によって記録信号波形の形状が変化するが、倍速が高速になればなるほど記録信号波形である、マルチパルス波形生成が困難となり様々な問題が発生する。例えば高密度マーク形成のための波形制御が複雑化し、切り替えるレーザのレベル数の増加やパルス分割の細分化が進み、高速で多数のレベルを切り替える必要性があるなどがあげられる。図１１において、各タイマーがシーケンサーによって選択された後、タイマー制御されたエッジ情報を見ると、１つのクロック区間に２つのエッジが生成される期間１１０がある。例えば５００ＭＨｚ（２ｎｓ）のような高速動作時であった場合、半分のクロック区間つまり１ｎｓでエッジを２回生成しなければいけなくなり、この場合、半導体回路の動作が追いつかないという問題があった。
【０００７】
本発明は、以上のような問題を解決するために為されたものであり、高速動作時においても、高精度にタイミングエッジを制御し、精度の高いマルチパルスを生成できる光ディスク装置を提供することを目的とする。
【課題を解決するための手段】
【０００８】
前記課題を解決するために本発明の請求項１に係る光ディスク装置は、ディジタル信号列を記録媒体に記録するためのレーザのパワーを制御するレーザパワーコントロール装置と、記録パワーを分割し、正確なピット形成のためのマルチパルスを生成するライトストラテジ装置と、該ライトストラテジ装置からのマルチパルスに応じて、レーザを照射するレーザダイオードドライバとを有し、前記ディジタル信号列に対応したエッジ及び振幅を有する記録波形信号を生成する光ディスク装置において、前記ライトストラテジ装置は、前記記録波形信号のエッジの生成に用いるためのタイミングエッジ情報を記憶する記憶部と、前記記録波形信号のエッジを生成するためのクロックを生成するクロック生成回路と、前記記録波形信号に対応するタイミングエッジ情報を前記記憶部から入力し、該入力したタイミングエッジ情報を並列処理し、該並列処理したタイミングエッジ情報を基にエッジを生成し、該生成したエッジの合成を行うタイミング制御回路とを備え、前記タイミング制御回路は、前記ディジタル信号列を入力し、該ディジタル信号列のスペース長及びマーク長をカウントするスペース・マーク長カウンタ装置と、前記スペース・マーク長カウンタ装置でカウントされたカウント値に基づいて、前記記憶部から所要のタイミングエッジ情報を順次出力させるタイミングシーケンサー装置と、前記記憶部から出力される前記タイミングエッジ情報を基にクロックの遅延量を制御し、所定の遅延量を有するタイミングエッジ情報を出力するタイマー装置と、前記タイマー装置からのタイミングエッジ情報の出力を、並列に出力するよう制御する並列処理シーケンサーと、前記並列処理シーケンサーの制御により、前記並列に出力されたタイミングエッジ情報を基に並列にエッジを生成し、該生成したエッジの合成を行う並列処理回路とを備えたものである。
【０００９】
また、本発明の請求項２に係る光ディスク装置は、請求項１に記載の光ディスク装置において、前記記憶部は、前記タイミングエッジ情報を複数有する１つまたは複数のテーブルを有し、前記タイミングエッジ情報は、前記スペース・マーク長カウンタ装置にてカウントされたカウント値に対応するアドレス情報を有しており、前記各テーブルは、それぞれのテーブルに対応するテーブルアドレス情報を有しているものである。
【００１０】
また、本発明の請求項３に係る光ディスク装置は、請求項２に記載の光ディスク装置において、前記タイミングシーケンサー装置は、前記スペース・マーク長カウンタ装置から出力されるカウント値を基に、該カウント値に対応するタイミングエッジ情報が格納されているテーブルを参照し、前記タイミングエッジ情報を出力させるものである。
【００１１】
また、本発明の請求項４に係る光ディスク装置は、請求項１に記載の光ディスク装置において、前記スペース・マーク長カウンタ装置は、カウント値が一定値を超えた場合、クリッピング処理を行い、予め設定された最大値を出力するものである。
【００１２】
また、本発明の請求項５に係る光ディスク装置は、請求項１に記載の光ディスク装置において、前記記憶部に格納されるタイミングエッジ情報は、少なくとも、複数の固定電流値を含んでおり、前記並列処理回路で合成される記録波形は、前記記憶部に格納された複数の固定電流値から前記マーク長、及び該マーク長の区間におけるスペース長に応じて電流値が選択された記録波形であるものである。
【００１３】
また、本発明の請求項６に係る光ディスク装置は、請求項１に記載の光ディスク装置において、前記並列処理回路にて合成される記録波形は、前記マーク長とマーク長との間に一定の電流値を前記レーザダイオードドライバへ出力する期間を有するものである。
【００１４】
また、本発明の請求項７に係る光ディスク装置は、請求項１に記載の光ディスク装置において、前記タイマー装置に入力されるタイミングエッジ情報は、少なくとも遅延量及び電流量を含むものとしたものである。
【００１５】
また、本発明の請求項８に係る光ディスク装置は、請求項７に記載の光ディスク装置において、前記タイマー装置は、前記並列処理シーケンサーの選択制御により、所定の遅延量値を有するタイミングエッジ情報の出力を並列に出力する複数の第１のセレクタ装置と、前記並列処理シーケンサーの選択制御により、所定の電流値を有するタイミングエッジ情報の出力を並列に出力する複数の第２のセレクタ装置とを備え、前記並列処理回路は、前記複数の第１のセレクタ装置からそれぞれ出力されるタイミングエッジ情報をデータセット信号およびリセット信号として入力するＲＳラッチ回路と、前記複数の第２のセレクタ装置からそれぞれ出力されるタイミングエッジ情報を入力し、前記データセット信号、前記リセット信号、及び前記ＲＳラッチ回路からの出力に基づいて、所定の電流値を有する合成エッジを出力する電流値出力制御回路とを備え、前記データセット信号、及びリセット信号は前記並列処理シーケンサーにも入力され、前記並列処理シーケンサーは、前記データセット信号、及びリセット信号の入力に応じて前記タイミングエッジ情報を並列に出力するよう制御するものである。
【００１６】
また、本発明の請求項９に係る光ディスク装置は、請求項１または８に記載の光ディスク装置において、前記タイマー装置は、１つのタイマーで構成されたものとしたものである。
【００１７】
また、本発明の請求項１０に係る光ディスク装置は、請求項１または８に記載の光ディスク装置において、前記タイマー装置は、複数のタイマーで構成されたものとしたものである。
【００１８】
また、本発明の請求項１１に係る光ディスク装置は、請求項１に記載の光ディスク装置において、前記並列処理シーケンサーは、前記タイマー装置から順次出力されるタイミングエッジ情報の出力を、その奇数、偶数出力を各出力順に並列に出力するよう制御するものとしたものである。
【００１９】
また、本発明の請求項１２に係る光ディスク装置は、請求項１に記載の光ディスク装置において、前記並列処理シーケンサーは、クロック同期でカウントされるカウンタを有し、該カウンタの所定のカウント値に応じて前記タイマー装置から前記タイミングエッジ情報を出力させるものであり、前記タイミングエッジ情報は、前記タイマー装置により一定値の遅延量だけオフセットされるものである。
【発明の効果】
【００２０】
本発明の請求項１に係る光ディスク装置によれば、ディジタル信号列を記録媒体に記録するためのレーザのパワーを制御するレーザパワーコントロール装置と、記録パワーを分割し、正確なピット形成のためのマルチパルスを生成するライトストラテジ装置と、該ライトストラテジ装置からのマルチパルスに応じて、レーザを照射するレーザダイオードドライバとを有し、前記ディジタル信号列に対応したエッジ及び振幅を有する記録波形信号を生成する光ディスク装置において、前記ライトストラテジ装置は、前記記録波形信号のエッジの生成に用いるためのタイミングエッジ情報を記憶する記憶部と、前記記録波形信号のエッジを生成するためのクロックを生成するクロック生成回路と、前記記録波形信号に対応するタイミングエッジ情報を前記記憶部から入力し、該入力したタイミングエッジ情報を並列処理し、該並列処理したタイミングエッジ情報を基にエッジを生成し、該生成したエッジの合成を行うタイミング制御回路とを備え、前記タイミング制御回路は、前記ディジタル信号列を入力し、該ディジタル信号列のスペース長及びマーク長をカウントするスペース・マーク長カウンタ装置と、前記スペース・マーク長カウンタ装置でカウントされたカウント値に基づいて、前記記憶部から所要のタイミングエッジ情報を順次出力させるタイミングシーケンサー装置と、前記記憶部から出力される前記タイミングエッジ情報を基にクロックの遅延量を制御し、所定の遅延量を有するタイミングエッジ情報を出力するタイマー装置と、前記タイマー装置からのタイミングエッジ情報の出力を、並列に出力するよう制御する並列処理シーケンサーと、前記並列処理シーケンサーの制御により、前記並列に出力されたタイミングエッジ情報を基に並列にエッジを生成し、該生成したエッジの合成を行う並列処理回路とを備えたので、ディジタル情報を記録媒体等に記録する書き込みを行う際、高速動作時においても高精度にタイミングエッジを制御することができ、精度の高いマルチパルスを生成することができる効果がある。
【００２１】
また、本発明の請求項２に係る光ディスク装置によれば、請求項１に記載の光ディスク装置において、前記記憶部は、前記タイミングエッジ情報を複数有する１つまたは複数のテーブルを有し、前記タイミングエッジ情報は、前記スペース・マーク長カウンタ装置にてカウントされたカウント値に対応するアドレス情報を有しており、前記各テーブルは、それぞれのテーブルに対応するテーブルアドレス情報を有しているので、スペース長及びマーク長に応じたエッジ情報を得ることができる効果がある。
【００２２】
また、本発明の請求項３に係る光ディスク装置によれば、請求項２に記載の光ディスク装置において、前記タイミングシーケンサー装置は、前記スペース・マーク長カウンタ装置から出力されるカウント値を基に、該カウント値に対応するタイミングエッジ情報が格納されているテーブルを参照し、前記タイミングエッジ情報を出力させるものであるので、タイミングシーケンサー装置の動作により、タイマー装置から所要のタイミングエッジ情報を順次出力することができる効果がある。
【００２３】
また、本発明の請求項４に係る光ディスク装置によれば、請求項１に記載の光ディスク装置において、前記スペース・マーク長カウンタ装置は、カウント値が一定値を超えた場合、クリッピング処理を行い、予め設定された最大値を出力するので、マーク長やスペース長が長い場合においてもタイミングシーケンサー装置で所要のアドレスを生成することができる効果がある。
【００２４】
また、本発明の請求項５に係る光ディスク装置によれば、請求項１に記載の光ディスク装置において、前記記憶部に格納されるタイミングエッジ情報は、少なくとも、複数の固定電流値を含んでおり、前記並列処理回路で合成される記録波形は、前記記憶部に格納された複数の固定電流値から前記マーク長、及び該マーク長の区間におけるスペース長に応じて電流値が選択された記録波形であるので、所望の電流値を有するマルチパルスを得ることができる効果がある。
【００２５】
また、本発明の請求項６に係る光ディスク装置によれば、請求項１に記載の光ディスク装置において、前記並列処理回路にて合成される記録波形は、前記マーク長とマーク長との間に一定の電流値を前記レーザダイオードドライバへ出力する期間を有するので、記録媒体を冷却することができる効果がある。
【００２６】
また、本発明の請求項７に係る光ディスク装置によれば、請求項１に記載の光ディスク装置において、前記タイマー装置に入力されるタイミングエッジ情報は、少なくとも遅延量及び電流量を含むものとしたので、タイマー装置から所要の遅延量及び電流量を有するタイミングエッジ情報を出力することができる効果がある。
【００２７】
また、本発明の請求項８に係る光ディスク装置によれば、請求項７に記載の光ディスク装置において、前記タイマー装置は、前記並列処理シーケンサーの選択制御により、所定の遅延量値を有するタイミングエッジ情報の出力を並列に出力する複数の第１のセレクタ装置と、前記並列処理シーケンサーの選択制御により、所定の電流値を有するタイミングエッジ情報の出力を並列に出力する複数の第２のセレクタ装置とを備え、前記並列処理回路は、前記複数の第１のセレクタ装置からそれぞれ出力されるタイミングエッジ情報をデータセット信号およびリセット信号として入力するＲＳラッチ回路と、前記複数の第２のセレクタ装置からそれぞれ出力されるタイミングエッジ情報を入力し、前記データセット信号、前記リセット信号、及び前記ＲＳラッチ回路からの出力に基づいて、所定の電流値を有する合成エッジを出力する電流値出力制御回路とを備え、前記データセット信号、及びリセット信号は前記並列処理シーケンサーにも入力され、前記並列処理シーケンサーは、前記データセット信号、及びリセット信号の入力に応じて前記タイミングエッジ情報を並列に出力するよう制御するので、複数のタイマーからのタイミングエッジ情報を並列に処理することができ、ディジタル情報を記録媒体等に記録する書き込みの際、高速動作時においても高精度にタイミングエッジを制御することができる効果がある。
【００２８】
また、本発明の請求項９に係る光ディスク装置によれば、請求項１または８に記載の光ディスク装置において、前記タイマー装置は、１つのタイマーで構成されたものとしたので、１つのタイマーを用いた場合においても、高精度にタイミングエッジを制御することができる効果がある。
【００２９】
また、本発明の請求項１０に係る光ディスク装置によれば、請求項１または８に記載の光ディスク装置において、前記タイマー装置は、複数のタイマーで構成されたものとしたので、複数のタイマーから高速にタイミングエッジ情報が出力された場合においても、高精度にタイミングエッジを制御することができる効果がある。
【００３０】
また、本発明の請求項１１に係る光ディスク装置によれば、請求項１に記載の光ディスク装置において、前記並列処理シーケンサーは、前記タイマー装置から順次出力されるタイミングエッジ情報の出力を、その奇数、偶数出力を各出力順に並列に出力するよう制御するものとしたので、１つまたは複数のタイマーから出力されるタイミングエッジ情報を並列に処理することができる効果がある。
【００３１】
また、本発明の請求項１２に係る光ディスク装置によれば、請求項１に記載の光ディスク装置において、前記並列処理シーケンサーは、クロック同期でカウントされるカウンタを有し、該カウンタの所定のカウント値に応じて前記タイマー装置から前記タイミングエッジ情報を出力させるものであり、前記タイミングエッジ情報は、前記タイマー装置により一定値の遅延量だけオフセットされるので、１つまたは複数のタイマーから出力されるタイミングエッジ情報を並列に処理することができる効果がある。
【発明を実施するための最良の形態】
【００３２】
以下、本発明の実施の形態を、図面を参照しながら説明する。
【００３３】
（実施の形態１）
図１は本発明の実施の形態１に係る光ディスク装置を説明する図であり、記録媒体に記録する際に、書き込み補償を行うための構成を示す図である。
【００３４】
図において、レーザパワーコントローラー（ＬＰＣ）１１は、記録するためのレーザのパワーを制御するものであり、ライトストラテジ装置（ＷＳＴ）１２は、記録パワーを分割し、正確なピット形成のためのマルチパルスを生成するものであり、レーザダイオードドライバ（ＬＤＤ）１３は、ライトストラテジ装置からのマルチパルスに応じて、レーザを照射するものである。
【００３５】
次に、本実施の形態１に係る光ディスク装置におけるライトストラテジ装置１２を説明する。
【００３６】
図２は本実施の形態１に係る光ディスク装置におけるライトストラテジ装置の構成を示す図である。
【００３７】
図２において、ライトストラテジ装置１２は、シリアルで入力され、記録しようとする記録波形信号のエッジを生成するためのタイミングエッジの遅延量及びレーザの電流値等を示すタイミングエッジ情報Ｓ１をパラレル変換するシリアル／パラレル変換回路２１と、パラレル変換されたタイミングエッジ情報Ｓ２を格納するコントロールレジスタ２２と、所定の周期のクロックＳ３を生成するＰＬＬ（Ｐｈａｓｅ  Ｌｏｏｋｅｄ  Ｌｏｏｐ）装置２３、外部から入力したディジタルデータ（ＮＲＺＩ）Ｓ４、及びコントロールレジスタ２２からのタイミングエッジ情報Ｓ７を基にエッジの合成を行い、合成エッジＳ９を出力するタイミング制御回路２４と、コントロールレジスタへの書き込み制御を行うロジック制御回路２５とから構成される。なお、コントロールレジスタはタイミング制御回路２４内に設けてもよく、また、コントロールレジスタを複数備えた構成としてもよい。
【００３８】
また、コントロールレジスタ２２には、エッジ合成の際に必要な複数の遅延量及びレーザの複数の電流値等のタイミングエッジ情報Ｓ２が、外部からシリアル／パラレル変換回路２１を介して書き込まれ、該書き込まれたデータからテーブル群が随時構成され、それぞれのテーブルには複数のタイミング情報が格納されている。また、このテーブル群は、ＣＤ−ＲＷ、ＤＶＤ−Ｒ、ＤＶＤ−ＲＡＭ、Ｂｌｕ−ｒａｙ（登録商標）等の記録媒体の仕様に対応するテーブルに書き込まれ、記録する記録媒体に各々対応したテーブル群が構成される。また、コントロールレジスタ２２に書き込まれたそれぞれのテーブル及びタイミングエッジ情報は、それぞれ対応するアドレスを有しており、タイミング制御回路２４から出力されるアドレスポインタＳ６に応じて所要のタイミングエッジ情報が出力される。
【００３９】
そしてタイミング制御回路２４は、コントロールレジスタ２２から出力されたタイミングエッジ情報Ｓ７を入力し、該入力したタイミングエッジ情報を並列処理し、エッジ合成を行う。
【００４０】
また、ロジック制御回路２５は、レジスタへのアクセス制御を行っており、Ｍｏｄｅ信号Ｓ８を発生し、Ｍｏｄｅ信号が“１”であるときはレジスタへの書き込みを行わないようにする。つまりデータの書き込みおよび読み込みの際にｄａｔａ  ｃｏｎｆｌｉｃｔが発生しないよう制御する。ＰＬＬ装置２３で生成される信号Ｓ５等の各種制御信号の組み合わせにより条件が成立するとＭｏｄｅ信号が“１”となる。
【００４１】
図３は、タイミング制御回路２４の構成を示す図である。
【００４２】
図３において、タイミング制御回路２４は、装置外部から入力したディジタルデータであるＮＲＺＩデータＳ４のスペース長及びマーク長のパターン列をカウントするスペース・マーク長カウンタ３１と、スペース・マーク長カウンタ３１からのカウント値Ｓ１０に基づいてコントロールレジスタに対するアドレスポインタＳ６を生成するタイミングシーケンサー３２と、タイミングシーケンサー３２からの出力に応じてコントロールレジスタ２２から出力されるタイミングエッジ情報Ｓ７を基に、所定の遅延量及び電流値を有するタイミングエッジ情報Ｓ１４を出力するタイマー装置３４と、タイマー装置３４から順次出力されるタイミングエッジ情報Ｓ１４の出力を、その奇数、偶数出力を各出力順に並列に出力するように制御する奇数・偶数シーケンサー３３と、奇数・偶数シーケンサー３３の制御によって奇数、偶数出力の各出力順に出力されたタイミングエッジ情報を基に並列にエッジを生成し、該生成したエッジの合成を行い、合成エッジＳ９を出力する並列処理回路３５とから構成される。なお、本実施の形態１においてタイマー装置３４は４つのタイマーを備えたものとする。
【００４３】
次に、図４、図５を用いてスペース・マーク長カウンタを詳細に説明する。
【００４４】
図４は、スペース・マーク長カウンタ３１のカウント動作を示す概念図であり、図５はスペース長、及びマーク長の検出動作を示すタイミングチャートである。
【００４５】
図４におけるスペース・マーク長カウンタでは入力されたＮＲＺＩデータ４１の立ち上がりエッジと立下りエッジを検出しカウント動作を行う。つまりクロックに同期しているＮＲＺＩデータ４１が“１０００１１１１０００００１”となっていた場合、１→０への遷移、すなわち立下りエッジ、からスペース長のカウントが始まり、また、０→１への遷移、すなわち立ち上がりエッジ、からマーク長のカウントが始まる。ここで、ある一定値を超えるカウントがあった場合は、クリッピングされ最大値を出力する構成となっている。
【００４６】
また、図において、スペース・マーク長カウンタ３１では、１クロック差のディジタル信号列ｎｒｚｉ＿ｄ１、及びｎｒｚｉ＿ｄ２を用いることにより、スペース検出、及びマーク検出を可能にしている。
【００４７】
まず、スペースカウンタ４４は、ディジタル信号列４１からスペースを検出した時、リセット信号５３が有効となることによりカウント値（ｓｐ＿ｃｎｔ）がリセットされ、図５に示すようにスペース検出信号（ｄｅｔ＿ｓｐ）４３の立ち下がり時に、スペース長のカウントを始める。そして、ディジタル信号列４１からマークを検出するまでカウントを続け、マークを検出した時に該カウントしたスペース長をスペース長１として、レジスタ４６でカウント値（ｓｐ＿ｃｎｔ）である２を保持する。
【００４８】
そして、マークカウンタ４５は、ディジタル信号列４１からマークを検出した時、リセット信号５３が有効となることによりカウント値（ｍｋ＿ｃｎｔ）がリセットされ、図５に示すようにマーク検出信号（ｄｅｔ＿ｍｋ）４２の立ち下がり時に、マーク長のカウントを始める。そして、ディジタル信号列４１からスペースを検出するまでカウントを続け、スペースを検出した時に該カウントしたマーク長をマーク長０として、レジスタ４８でカウント値（ｍｋ＿ｃｎｔ）である３を保持する。
【００４９】
そして、スペースカウンタ４４は、ディジタル信号列４１からスペースを検出した時、まず、レジスタ４６に保持しているスペース長１をスペース長０としてレジスタ４７で保持する。そしてリセット信号５３が有効となることによりカウント値（ｓｐ＿ｃｎｔ）がリセットされ、図５に示すようにスペース検出信号（ｄｅｔ＿ｓｐ）の立ち下がり時に、スペース長のカウントを始める。そして、ディジタル信号列４１からマークを検出するまでカウントを続け、マークを検出した時に該カウントしたスペース長をスペース長１として、レジスタ４６でカウント値（ｓｐ＿ｃｎｔ）である２を保持する。すなわち、カウント値をスペース−マーク−スペースのパターンでカウントするため、時系列的に先にカウントしたスペース長のカウント値をスペース長０、後にカウントしたスペース長のカウント値（ｓｐ＿ｃｎｔ）をスペース長１とする。
【００５０】
また、スペース・マーク長カウンタ３１は、マーク検出したことを示すマークエッジ（ｍｋ＿ｅｄｇｅ）を出力する。
【００５１】
このように、スペース・マーク長カウンタは、スペース長０（５１）、マーク長０（５２）、スペース長１（５０）をカウントし、該カウント値、及びマークエッジ（ｍｋ＿ｅｄｇｅ）４９をタイミングシーケンサー３２及び奇数・偶数シーケンサー３３に出力する。
【００５２】
次に、図６を用いて並列処理回路３５で行うタイミングエッジ情報の並列処理について詳細に説明する。
【００５３】
図６は、本実施の形態１に係る光ディスク装置において、タイミングエッジ情報の並列処理を示す概念図である。
【００５４】
図６において、奇数・偶数シーケンサー３３は、スペース・マーク長カウンタ３１から出力されたマークエッジ（ｍｋ＿ｅｄｇｅ）、マーク長０のカウント値、後述するデータセット信号及びデータリセット信号を入力とし、タイマー動作を並列処理するためのセレクタ信号１及びセレクタ信号２を出力する。
【００５５】
タイマー装置３４は、４つのタイマー、Ｔｉｍｅｒ１〜Ｔｉｍｅｒ４のうち、奇数・偶数シーケンサー３３からのセレクタ信号Ｓ１３によりいずれかのタイマー出力が選択されるセレクタ７１〜７４を備えており、選択されたＴｉｍｅｒから所定の電流増幅量を有するとともに所定の遅延量だけ遅延されたタイミングエッジ情報を出力する。このように、各タイマーでは、クロックに同期したタイミングエッジ情報をコントロールレジスタ２２から入力した所定の遅延量だけ遅延させて信号Ｓ１４を出力する。このときの遅延量はタイミングシーケンサー３２で生成されたアドレスポインタＳ６より、その値に応じた最初に出力される遅延量は決まっているので、この遅延量より遅延クロックを生成する。各タイマーにおける遅延量は、例えば、図９に示すような自然数“ｎ”の段数を持つシフトレジスタで構成された遅延クロック生成回路で生成するとよい。例えば、遅延量が４であれば４／ｎ遅延することを意味する。
【００５６】
セレクタ７１は、各タイマー動作により順次出力されるタイミングエッジ情報の出力順の奇数出力のタイミングエッジ情報の電流増幅量を出力するものであり、セレクタ７２は、各タイマー動作により順次出力されるタイミングエッジ情報の出力順の偶数出力のタイミングエッジ情報の電流増幅量を出力するものであり、セレクタ７３は、各タイマー動作により順次出力されるタイミングエッジ情報の出力順の奇数出力で、所定の遅延量値を有するタイミングエッジ情報を出力するものであり、セレクタ７４は、各タイマー動作により順次出力されるタイミングエッジ情報の出力順の偶数出力で所定の遅延量値だけ遅延されたタイミングエッジ情報を出力するものである。
【００５７】
並列処理回路３５は、ＲＳラッチ回路７５と電流値出力制御回路７６とを有しており、ＲＳラッチ回路７５は、タイマー装置３４から出力されるタイミングエッジ情報の出力順の奇数出力であるセレクタ７３からのタイミングエッジ情報Ｓ１４をデータセット信号とし、タイマー装置３４から出力されるタイミングエッジ情報の出力順の偶数出力であるセレクタ７４からのタイミングエッジ情報Ｓ１４をデータリセット信号としてＲＳｏｕｔを出力する。また、データセット信号、データリセット信号は、それぞれ奇数出力、偶数出力を示すための信号Ｓ１５として奇数・偶数シーケンサー３３に出力されるとともに電流値出力制御回路７６に出力され、ＲＳｏｕｔは、電流値出力制御回路７６に出力される。電流値出力制御回路７６は、ＲＳラッチ回路７５からのデータセット信号、リセット信号、ＲＳｏｕｔを入力するとともに、前記奇数出力であるセレクタ７１からの電流増幅量、及び前記偶数出力であるセレクタ７２からの電流増幅量を入力し、電流値が制御された合成エッジを出力する。このように行うことで、複数のタイミングエッジを並列処理することができる。
【００５８】
図１０は本発明の実施の形態１におけるタイマー制御を示す図である。
【００５９】
まず、Ｔｉｍｅｒ１のタイミングエッジ情報が出力されると、データセット信号が出力され、タイミング情報の出力順の奇数出力を示すタイミングエッジａが立ち上がる。そして、次の出力順であるＴｉｍｅｒ３のタイミングエッジ情報が出力されると、リセット信号が出力され、タイミング情報の出力順の偶数出力を示すタイミングエッジｂが立ち上がる。これにより、電流値出力制御回路７６から最終形の合成エッジが生成され、以下、タイミングエッジｃ〜ｈまでこの動作を繰り返すことにより、所定の電流増幅量を有する合成エッジが生成される。
【００６０】
次に、本発明の実施の形態１に係る光ディスク装置の動作を説明する。
【００６１】
まず、記録しようとする記録波形情報のエッジを生成するためのタイミングエッジ情報Ｓ１がシリアル／パラレル変換回路２１でパラレル変換され、コントロールレジスタ２２に記憶される。そして、スペース・マーク長カウンタ３１はＮＲＺＩデータＳ４を入力して、スペース長、及びマーク長をカウントする。タイミングシーケンサー３２は、スペース・マーク長カウンタ３１でカウントされたカウント値Ｓ１０に対応するアドレスポインタＳ６をコントロールレジスタ２２に順次出力し、コントロールレジスタ２２はタイミングシーケンサー３２から順次出力されるアドレスポインタＳ６に応じたタイミングエッジ情報Ｓ７をそれぞれ対応する各タイマーに順次出力する。このように、タイミングシーケンサー３２が、シーケンサー制御を行う際、コントロールレジスタ２２に格納されたテーブルを参照することにより、スペース長、マーク長のカウント値に対応したタイミングエッジ情報をコントロールレジスタ２２から出力する。そして、各タイマーはコントロールレジスタ２２からのタイミングエッジ情報Ｓ７を基に遅延量を制御し、所定の遅延量を有するタイミングエッジ情報Ｓ１４をそれぞれ出力する。すなわち、各タイマーから出力されるタイミングエッジ情報の出力順はコントロールレジスタ２２を介してタイミングシーケンサー３２で制御されており、タイミングシーケンサー３２からの出力に応じて、各タイマーからタイミングエッジ情報が順次出力される。
【００６２】
そして、奇数・偶数シーケンサー３３は、セレクタ７１〜７４を制御することにより、各タイマーから順次出力されるタイミングエッジ情報Ｓ１４の出力を、その奇数、偶数出力を各出力順に並列に出力するよう制御し、電流値出力制御回路７６は、並列に入力したタイミングエッジ情報から、合成エッジＳ９を出力する。
【００６３】
次に、本実施の形態１における光ディスク装置において、タイミングエッジ情報を並列処理し、エッジ合成する動作を、図６〜図８を用いて説明する。
【００６４】
図７は、本実施の形態１に係る光ディスク装置によるエッジ合成を示すタイミングチャートである。
【００６５】
図において、クロック同期でカウントされるカウント値（ｃｎｔ）は、奇数・偶数シーケンサー３３でカウントされる値であり、この値はどのタイミングで各タイマーＴｉｍｅｒ１〜Ｔｉｍｅｒ４を動かすかというｅｎａｂｌｅ信号生成に用いられる。この値（Ｔｉｍｅｒを動かす）はタイミングシーケンサー３２からの出力Ｓ１２に応じて予め決められる。各タイマーＴｉｍｅｒ１〜Ｔｉｍｅｒ４はそれぞれ所定の遅延動作を行ない、その出力はセレクタ７１〜７４により選択されて並列処理回路３５に出力される。
【００６６】
また、Ｐ１〜Ｐ５はタイミングエッジ情報の電流値を示しており、さらに電流値の振幅を示すｗｒｉｔｅ  ｃｕｒｒｅｎｔにおいては、マーク長とマーク長の間の区間に一定レベルのｗｒｉｔｅ  ｃｕｒｒｅｎｔが存在しているが、これはクーリングパルス（ＰＣＬ）といって媒体を冷却する期間であり、常に一定の書き込み電流である。また媒体の温度特性によりレーザの駆動が時々刻々と変化するので、記録媒体の温度を検知し、該検知した温度に応じてレーザダイオードドライバの光出力値の自動調整を行う温度検知機能を備えることにより、前述したクーリングパルスの電流値を変化させる構成も可能である。
【００６７】
図８は、奇数・偶数シーケンサー３３にて各タイマーからタイミングエッジ情報を並列に出力するよう制御する動作を示すフローチャートである。
【００６８】
奇数・偶数シーケンサー３３は、スペース・マーク長カウンタ３１からマークエッジ（ｍｋ＿ｅｄｇｅ）を入力すると（ステップＳ９０１）、まず、奇数出力を示すセレクタ信号１を所定のカウント時に応じて出力する（ステップＳ９０２）。そしてセレクタ信号１（Ｓ１３）は、セレクタ７１、７３に入力され、各タイマーＴｉｍｅｒ１〜Ｔｉｍｅｒ４のうちのいずれかのＴｉｍｅｒから所定の電流値、遅延量を有するタイミングエッジ情報Ｓ１４が並列処理回路３５に出力される。
【００６９】
そして、並列処理回路３５において、セレクタ７１から所定の電流増幅量が電流値出力制御回路７６に入力され、セレクタ７３から所定の遅延量だけ遅延されたタイミングエッジ情報が、データセット信号としてＲＳラッチ回路７５に入力される。また、データセット信号は、Ｓ１５として奇数・偶数シーケンサー３３に出力されるとともに、Ｓ６１として電流値出力制御回路７６に出力される。
【００７０】
次に、奇数・偶数シーケンサー３３は、データセット信号Ｓ１５が入力されると（ステップＳ９０３）、偶数出力を示すセレクタ信号２（Ｓ１３）を所定のカウント値に応じて出力する（ステップＳ９０４）。そしてセレクタ信号２は、セレクタ７２、７４に入力され、各タイマーＴｉｍｅｒ１〜Ｔｉｍｅｒ４のうちのいずれかのＴｉｍｅｒから所定の電流値、遅延量を有するタイミングエッジ情報Ｓ１４が並列処理回路３５に出力される。
【００７１】
そして、並列処理回路３５において、セレクタ７２から所定の電流増幅量が、電流値出力制御回路７６に入力され、セレクタ７４から所定の遅延量だけ遅延されたタイミングエッジ情報が、リセット信号としてＲＳラッチ回路７５に出力される（ステップＳ９０５）。また、リセット信号は、Ｓ１５として奇数・偶数シーケンサー３３に出力されるとともに、Ｓ６１として電流値出力制御回路７６に出力される。このとき、ＲＳラッチ回路７５の出力であるＲＳｏｕｔ（Ｓ６３）は、電流値出力制御回路７６に出力される。
【００７２】
そして、奇数・偶数シーケンサー３３は、以上の動作をマーク長０（Ｓ１１）の期間繰り返し行い、マークエッジＳ１１が検出されたならば（ステップＳ９０６）、１つのマークのエッジ合成が終了したものと判断し、カウント値がリセットされるとともに次のマークのエッジ合成を行う。その結果、電流値出力制御回路７６から所定の電流増幅量を有する合成エッジＳ９が生成される。
【００７３】
以上のような本発明の実施の形態１に係る光ディスク装置は、ディジタル信号列を記録媒体に記録するためのレーザのパワーを制御するレーザパワーコントロール装置１１と、記録パワーを分割し、正確なピット形成のためのマルチパルスを生成するライトストラテジ装置１２と、該ライトストラテジ装置１２からのマルチパルスに応じて、レーザを照射するレーザダイオードドライバ１３とを有し、前記ディジタル信号列に対応したエッジ及び振幅を有する記録波形信号を生成する光ディスクにおいて、前記ライトストラテジ装置１２は、前記記録波形信号のエッジの生成に用いるためのタイミングエッジ情報を記憶するコントロールレジスタ２２と、前記記録波形信号のエッジを生成するためのクロックを生成するＰＬＬ２３と、前記記録波形信号に対応するタイミングエッジ情報を前記コントロールレジスタ２２から入力し、該入力したタイミングエッジ情報を並列処理し、該並列処理したタイミングエッジ情報の合成を行うタイミング制御回路２４とを備え、タイミング制御回路２４では、スペース・マーク長カウンタ３１でディジタル信号列のスペース長およびマーク長をカウントし、タイミングシーケンサー３２にて、該カウント値に基づいて、コントロールレジスタ２２から所要のタイミングエッジ情報を出力させ、各タイマーＴｉｍｅｒ１〜Ｔｉｍｅｒ４からの出力を、奇数・偶数シーケンサー３３により、奇数・偶数出力の出力順に並列に出力させ、並列処理回路３５で、該並列に出力されたタイミングエッジ情報を基にエッジを生成し、該生成したエッジを合成するようにしたので、ディジタル情報を記録する媒体等に記録する信号の書込みにおいて、高速動作時でも高精度にタイミングエッジを制御することができる。
【００７４】
なお、本実施の形態１に係る光ディスク装置において、タイマー３４を４つのタイマーから構成されるものについて説明したが、これに限るものではなく、１つまたは複数のタイマーを用いた場合でも本発明は有効である。
【００７５】
また、本実施の形態１に係る光ディスク装置において、各タイマーから順次出力されるタイミングエッジ情報の奇数及び偶数出力の各出力順に応じて２つのタイミングエッジ情報出力の並列処理を行う例を説明したが、これに限るものではなく、２つ以上のタイミングエッジ情報出力を並列処理するような構成にしてもよい。また、各タイマーの出力をそれぞれ並列に処理するような構成にしてもよい。
【００７６】
また、本実施の形態１に係る光ディスク装置において、コントロールレジスタ２２を用いたが、これに限るものではなく、例えばＲＡＭ（Ｒａｎｄｏｍ  Ａｃｃｅｓｓ  Ｍｅｍｏｒｙ）等の記憶装置を用いてもよい。
【００７７】
また、本実施の形態１に係る光ディスク装置において、レーザパワーコントローラー１１、ライトストラテジ装置１２、及びレーザダイオードドライバ１３をＳｏＣ（Ｓｙｓｔｅｍ  ｏｎ  Ｃｈｉｐ）など同一パッケージ上に構成してもよく、これにより、回路規模を抑えることができる。
【００７８】
また、本実施の形態１に係る光ディスク装置において、レーザパワーコントローラー１１、ライトストラテジ装置１２、及びレーザダイオードドライバ１３を同一基板上に構成してもよく、これによりさらに回路規模を抑えることができる。
【００７９】
また、本実施の形態１に係る光ディスク装置において、レーザパワーコントローラー１１、ライトストラテジ装置１２、及びレーザダイオードドライバ１３を、立体的に構成してもよく、例えば、ライトストラテジ装置１２の下にレーザダイオードドライバのデバイスを実装し、その下にレーザパワーコントローラー１１を備えるようにしてもよく、これにより、さらに回路規模を抑えることができる。
【００８０】
また、本実施の形態１に係る光ディスク装置において、少なくとも２つのデバイス間で信号伝送を行う際、無線を用いて信号伝送するようにしてもよい。
【産業上の利用可能性】
【００８１】
本発明にかかる光ディスク装置は、ディジタル信号処理技術を有し、記録再生技術における、例えばＤＶＤ装置等として有用である。
【図面の簡単な説明】
【００８２】
【図１】図１は、本発明の実施の形態１に係る光ディスク装置を説明する図であり、記録媒体に記録する際に、書き込み補償を行うための構成を示す図である。
【図２】図２は、本発明の実施の形態１に係る光ディスク装置におけるライトストラテジ装置の構成を示す図である。
【図３】図３は、ライトストラテジ装置におけるタイミング制御回路２４の構成を説明する図である。
【図４】図４は、スペース・マーク長カウンタ３１を示す概念図である。
【図５】図５は、スペース・マーク長カウンタにおいて、スペース長及びマーク長をカウントする動作を示すタイミングチャートである。
【図６】図６は、本発明の実施の形態１に係る光ディスク装置における、タイミングエッジ情報の並列処理を説明するための概念図である。
【図７】図７は、本発明の実施の形態１に係る光ディスク装置において、タイミングエッジ情報の並列処理を説明するためのタイミングチャートである。
【図８】図８は、本発明の実施の形態１に係る光ディスク装置において、奇数・偶数シーケンサーによるタイミングエッジ情報の並列処理の動作を説明するフローチャートである。
【図９】図９は、本発明の実施の形態１に係る光ディスク装置において、遅延クロックの生成を説明するための図である。
【図１０】図１０は、本発明の実施の形態１に係る光ディスク装置において、偶数・奇数シーケンサーによるタイミングエッジ情報の並列処理を示す波形図である。
【図１１】図１１は、従来の光ディスク装置による書き込み補償を説明するためのタイミングチャートである。
【符号の説明】
【００８３】
１１  レーザパワーコントローラー
１２  ライトストラテジ装置
１３  レーザダイオードドライバ
２１  シリアル／パラレル変換回路
２２  コントロールレジスタ
２３  ＰＬＬ装置
２４  タイミング制御回路
２５  ロジック制御回路
３１  スペース・マーク長カウンタ
３２  タイミングシーケンサー
３３  奇数・偶数シーケンサー
３４  タイマー
３５  並列処理回路
４１  ディジタル信号列
４２  マーク検出信号
４３  スペース検出信号
４４  スペースカウンタ
４５  マークカウンタ
４６、４７、４８  レジスタ
４９  マークエッジ
５０  スペース長１のカウント値
５１  スペース長０のカウント値
５２  マーク長０のカウント値
５３  リセット信号
７１、７２、７３、７４  セレクタ
７５  ＲＳラッチ回路
７６  電流値出力制御回路
１１０  １つのクロック区間に２つのエッジが生成される期間
Ｓ１  タイミングエッジ情報
Ｓ２  パラレル変換されたタイミングエッジ情報
Ｓ３  クロック
Ｓ４  ＮＲＺＩデータ
Ｓ５  ＰＬＬ出力
Ｓ６  アドレスポインタ
Ｓ７  コントロールレジスタから出力されたタイミングエッジ情報
Ｓ８  Ｍｏｄｅ信号
Ｓ９  合成エッジ
Ｓ１０  カウンタ値
Ｓ１１  カウンタ出力
Ｓ１２  カウント情報
Ｓ１３  セレクタ信号
Ｓ１４  タイマーから出力されたタイミングエッジ情報
Ｓ１５  データセット信号、データリセット信号
Ｓ６１  電流値出力制御回路へ入力されるデータセット信号
Ｓ６２  電流値出力制御回路へ入力されるリセット信号
Ｓ６３  ＲＳｏｕｔ
【手続補正３】
【補正対象書類名】図面
【補正対象項目名】全図
【補正方法】変更
【補正の内容】
【図１】
2006070525.tif 000013
【図２】
2006070525.tif 000014
【図３】
2006070525.tif 000015
【図４】
2006070525.tif 000016
【図５】
2006070525.tif 000017
【図６】
2006070525.tif 000018
【図７】
2006070525.tif 000019
【図８】
2006070525.tif 000020
【図９】
2006070525.tif 000021
【図１０】
2006070525.tif 000022
【図１１】
2006070525.tif 000023
【国際調査報告】
2006070525.tif 000024
2006070525.tif 000025